(57)【要約】【課題】ユーザが直感的な操作で複数のメニューを同時に選択することを可能にする電子機器を提供する。【解決手段】電子機器１００は、第１ユニット１００１および第２ユニット１００２を供える。第２ユニット１００２内の光センサ内蔵液晶パネル２４０は、複数のメニュー４３２を含む表示画面を表示する。位置算出部４５４は、光センサ内蔵液晶パネル２４０への入力がある間、入力に応じた指示位置を出力する。メニュー選択部４５６は、複数の指示位置が同時に出力されている場合、同時に出力されている複数の指示位置に基づいて、メニューを選択する。メニュー選択部４５６は、選択したメニューをインターフェース部４４０およびインターフェース部３４０を介して、第１ユニット１００１側の制御部３５０に送る。制御部３５０は、選択メニューを出力部３２０に出力させる。【選択図】図１９
2010108277.tif 000002
【特許請求の範囲】
【請求項１】
電子機器であって、
複数のメニューを格納する記憶手段と、
多点入力可能な表示一体型タブレットと、
前記複数のメニューを含む表示画面を前記表示一体型タブレットに表示する表示制御手段と、
前記表示一体型タブレットへの入力がなされている間、前記入力に応じた指示位置を出力する入力処理手段と、
同時に出力されている複数の前記指示位置に基づいて前記メニューを選択する選択手段と、
選択された前記メニューを出力する出力手段とを備える、電子機器。
【請求項２】
前記選択手段は、同時に出力されている２つの前記指示位置に挟まれる前記メニューを選択する、請求項１に記載の電子機器。
【請求項３】
前記選択手段は、同時に出力されている２つの前記指示位置を対角の頂点とする矩形内の前記メニューを選択する、請求項２に記載の電子機器。
【請求項４】
前記選択手段は、同時に出力されている２つの前記指示位置を端点とする線分上にある前記メニューを選択する、請求項２に記載の電子機器。
【請求項５】
前記記憶手段は、各前記入力の開始タイミングを格納し、
前記選択手段は、各前記端点に対応する前記入力の前記開始タイミングの順序に基づいて、選択された前記メニューに、一方の前記端点から他方の前記端点に向けて順に選択番号を与え、
前記出力手段は、選択番号に基づいて前記メニューを出力する、請求項４に記載の電子機器。
【請求項６】
前記記憶手段は、各前記入力の開始タイミングを格納し、
前記選択手段は、同時に出力されている複数の前記指示位置を、各前記指示位置に対応する前記入力の前記開始タイミングの順につないだ折れ線上の前記メニューを選択する、請求項１に記載の電子機器。
【請求項７】
前記選択手段は、選択された前記メニューに、前記折れ線の一方の端点から前記折れ線の他方の端点に向けて順に選択番号を与え、
前記出力手段は、前記選択番号に基づいて前記メニューを出力する、請求項６に記載の電子機器。
【請求項８】
前記記憶手段は、前記表示画面中の各前記メニューの表示順を格納し、
前記選択手段は、同時に入力されている２つの前記指示位置のそれぞれに対応する前記メニューを両端とし、連続する前記表示順をもつ複数の前記メニューを選択する、請求項１に記載の電子機器。
【請求項９】
前記選択手段は、複数の前記指示位置により同時に指定された１つの前記メニューを仮選択し、仮選択された２つの前記メニューを両端とし、連続する前記表示順をもつ複数の前記メニューを選択する、請求項８に記載の電子機器。
【請求項１０】
前記表示制御手段は、前記指示位置の連続的な移動に応じて、前記表示画面をスクロールする、請求項９に記載の電子機器。
【請求項１１】
前記出力手段は、前記表示順に基づいて前記メニューを出力する、請求項８から１０のいずれか１項に記載の電子機器。
【請求項１２】
前記出力手段は、モニタを含む、請求項１から１１のいずれか１項に記載の電子機器。
【請求項１３】
前記モニタは、光センサ内蔵液晶パネルである、請求項１２に記載の電子機器。
【請求項１４】
前記表示一体型タブレットは、光センサ内蔵液晶パネルである、請求項１から１３のいずれか１項に記載の電子機器。
【請求項１５】
多点入力可能な表示一体型タブレットを有する電子機器によるメニューの選択方法であって、
複数の前記メニューを含む表示画面を前記表示一体型タブレットに表示するステップと、
前記表示一体型タブレットへの入力がなされている間、前記入力に応じた指示位置を出力するステップと、
同時に出力されている複数の前記指示位置に基づいて前記メニューを選択するステップとを備える、メニューの選択方法。
【請求項１６】
複数のメニューを表示し、多点入力可能な表示一体型タブレットを有する電子機器にメニューを選択させるメニューの選択プログラムであって、
前記電子機器は、前記表示一体型タブレットへの入力がなされている間、前記入力に応じた指示位置を出力する入力処理手段を含み、
前記入力処理手段が前記指示位置を同時に複数出力しているかどうかを前記電子機器に判断させるステップと、
前記電子機器が前記入力処理手段が前記指示位置を同時に複数出力していると判断した場合に、前記電子機器に、同時に出力されている複数の前記指示位置に基づいて前記表示一体型タブレットに表示されている前記複数のメニューの中からメニューを選択させるステップとを備える、メニューの選択プログラム。
【発明の詳細な説明】
【技術分野】
【０００１】
本発明は、表示一体型タッチパネルを備える電子機器、ならびに、電子機器によるメニューの選択方法およびメニューの選択プログラムに関する。
【背景技術】
【０００２】
現在、パソコンなどの電子機器が広く流通している。電子機器は、通常、外部からの指示を受け付ける入力装置と、表示装置とを備える。従来、入力装置としては、マウス、タッチパッドなどが広く用いられている。特許文献１（特許第４０３９６６０号公報）、特許文献２（特許第３８９２７６０号公報）、特許文献３（特許第３８１１１２８号公報）、特許文献４（特開２０００−３３９０９７号公報）には、表示装置と組み合わせたタッチパッドを備える情報処理装置が開示されている。
【０００３】
電子機器は、その表示装置に、複数のメニュー、例えば、画像のサムネイル、コマンドメニューなどを表示することがある。ユーザは、入力装置を用いて、表示された複数のメニューの中から複数のメニューを同時に選択することができる。
【０００４】
例えば、Ｗｉｎｄｏｗｓ（登録商標）のアプリケーションでは、ユーザは、以下のような操作で複数のメニューを同時に選択することができる。
【０００５】
（１）ｃｔｒｌキーを押しながら、１つずつメニューを選択する。この操作により、ｃｔｒｌキーを押している間に選択されたメニューが同時に選択される。
【０００６】
（２）ｓｈｉｆｔキーを押しながら、開始メニューと終了メニューとを選択する。この操作により、開始メニューと終了メニューとの間にはさまれたメニューが選択される。
【０００７】
（３）マウスあるいはタッチパッドを用いて、ドラッグする。この操作によれば、ドラッグ領域内のメニューが選択される。
【特許文献１】特許第４０３９６６０号公報
【特許文献２】特許第３８９２７６０号公報
【特許文献３】特許第３８１１１２８号公報
【特許文献４】特開２０００−３３９０９７号公報
【発明の開示】
【発明が解決しようとする課題】
【０００８】
従来の電子機器では、ユーザは、複数のメニューを選択するにあたって、入力モードを同時メニュー選択モードに切り替えるための操作を行なう必要があった。つまり、ユーザは、キーボードのｃｔｒｌキー、ｓｈｉｆｔキーを押すなどの煩わしい操作を行なう必要があった。
【０００９】
本発明は、上記のような問題を解決するためになされたものであって、ユーザが直感的な操作で複数のメニューを同時に選択することを可能にする電子機器を提供することを課題とする。
【課題を解決するための手段】
【００１０】
本発明の１つの局面に従うと、電子機器が提供される。電子機器は、複数のメニューを格納する記憶手段と、多点入力可能な表示一体型タブレットと、複数のメニューを含む表示画面を表示一体型タブレットに表示する表示制御手段と、表示一体型タブレットへの入力がなされている間、入力に応じた指示位置を出力する入力処理手段と、同時に出力されている複数の指示位置に基づいてメニューを選択する選択手段と、選択されたメニューを出力する出力手段とを備える。
【００１１】
好ましくは、選択手段は、同時に出力されている２つの指示位置に挟まれるメニューを選択する。
【００１２】
さらに好ましくは、選択手段は、同時に出力されている２つの指示位置を対角の頂点とする矩形内のメニューを選択する。
【００１３】
さらに好ましくは、選択手段は、同時に出力されている２つの指示位置を端点とする線分上にあるメニューを選択する。
【００１４】
さらに好ましくは、記憶手段は、各入力の開始タイミングを格納し、選択手段は、各端点に対応する入力の開始タイミングの順序に基づいて、選択されたメニューに、一方の端点から他方の端点に向けて順に選択番号を与え、出力手段は、選択番号に基づいてメニューを出力する。
【００１５】
好ましくは、記憶手段は、各入力の開始タイミングを格納し、選択手段は、同時に出力されている複数の指示位置を、各指示位置に対応する入力の開始タイミングの順につないだ折れ線上のメニューを選択する。
【００１６】
さらに好ましくは、選択手段は、選択されたメニューに、折れ線の一方の端点から折れ線の他方の端点に向けて順に選択番号を与え、出力手段は、選択番号に基づいてメニューを出力する。
【００１７】
好ましくは、記憶手段は、表示画面中の各メニューの表示順を格納し、選択手段は、同時に入力されている２つの指示位置のそれぞれに対応するメニューを両端とし、連続する表示順をもつ複数のメニューを選択する。
【００１８】
さらに好ましくは、選択手段は、複数の指示位置により同時に指定された１つのメニューを仮選択し、仮選択された２つのメニューを両端とし、連続する表示順をもつ複数のメニューを選択する。
【００１９】
さらに好ましくは、表示制御手段は、指示位置の連続的な移動に応じて、表示画面をスクロールする。
【００２０】
さらに好ましくは、出力手段は、表示順に基づいてメニューを出力する。
好ましくは、出力手段は、モニタを含む。
【００２１】
さらに好ましくは、モニタは、光センサ内蔵液晶パネルである。
好ましくは、表示一体型タブレットは、光センサ内蔵液晶パネルである。
【００２２】
本発明の他の局面に従うと、多点入力可能な表示一体型タブレットを有する電子機器によるメニューの選択方法が提供される。メニューの選択方法は、複数のメニューを含む表示画面を表示一体型タブレットに表示するステップと、表示一体型タブレットへの入力がなされている間、入力に応じた指示位置を出力するステップと、同時に出力されている複数の指示位置に基づいてメニューを選択するステップとを備える。
【００２３】
本発明のさらに他の局面に従うと、複数のメニューを表示し、多点入力可能な表示一体型タブレットを有する電子機器にメニューを選択させるメニューの選択プログラムが提供される。電子機器は、表示一体型タブレットへの入力がなされている間、入力に応じた指示位置を出力する入力処理手段を含む。メニューの選択プログラムは、入力処理手段が指示位置を同時に複数出力しているかどうかを電子機器に判断させるステップと、電子機器が入力処理手段が指示位置を同時に複数出力していると判断した場合に、電子機器に、同時に出力されている複数の指示位置に基づいて表示一体型タブレットに表示されている複数のメニューの中からメニューを選択させるステップとを備える。
【発明の効果】
【００２４】
本発明に係る電子機器は、複数のメニューを表示する表示一体型タッチパネルが同時に複数の入力を受け付けると、同時に指定されている複数の入力位置に基づいてメニューを選択することができる。その結果、本発明によれば、ユーザは、直感的な操作で複数のメニューを同時に選択することができる。
【発明を実施するための最良の形態】
【００２５】
以下、図面を参照しつつ、本発明の実施の形態について説明する。以下の説明では、同一の部分には同一の符号を付してある。それらの名称および機能も同じである。したがってそれらについての詳細な説明は繰り返さない。
【００２６】
［第１の実施の形態］
＜電子機器の外観＞
図１は、本実施の形態に係る電子機器１００の外観を示した図である。図１を参照して、電子機器１００は、第１の筐体１００Ａと第２の筐体１００Ｂとを含む。
【００２７】
第１の筐体１００Ａと第２の筐体１００Ｂとは、ヒンジ１００Ｃにより折畳み可能に接続されている。第１の筐体１００Ａは、光センサ内蔵液晶パネル１４０を備える。第２の筐体１００Ｂは、光センサ内蔵液晶パネル２４０を備える。このように、電子機器１００は、光センサ内蔵液晶パネルを２つ備える。
【００２８】
なお、電子機器１００は、ＰＤＡ（Personal Digital Assistant）、ノート型のパーソナルコンピュータ、携帯型電話機、電子辞書などの表示機能を有する携帯型デバイスとして構成される。
【００２９】
＜ハードウェア構成について＞
次に、図２を参照して、電子機器１００の具体的構成の一態様について説明する。図２は、電子機器１００のハードウェア構成を表わすブロック図である。
【００３０】
電子機器１００は、第１ユニット１００１と、第２ユニット１００２とを含む。第２ユニット１００２は、電子機器１００から着脱可能に第１ユニット１００１に接続されている。第１ユニット１００１は、本体装置１０１と、表示装置１０２とを含む。第２ユニット１００２は、表示装置１０３と、本体装置１０４とを含む。
【００３１】
第１の筐体１００Ａは、表示装置１０２を含む。第２の筐体１００Ｂは、本体装置１０１を含む。また、第２の筐体１００Ｂは、第２ユニット１００２を含む。
【００３２】
（第１ユニットについて）
本体装置１０１は、ＣＰＵ（Central Processing Unit）１１０と、ＲＡＭ（Random Access Memory）１７１と、ＲＯＭ（Read-Only Memory）１７２と、メモリカードリーダライタ１７３と、外部通信部１７４と、マイク１７５と、スピーカ１７６と、操作キー１７７と、電源スイッチ１９１と、電源回路１９２と、電源検出部１９３と、ＵＳＢ（Universal Serial Bus）コネクタ１９４と、アンテナ１９５と、ＬＡＮ（Local Area Network）コネクタ１９６とを含む。各構成要素（１１０，１７１〜１７７，１９３）は、相互にデータバスＤＢ１によって接続されている。メモリカードリーダライタ１７３には、メモリカード１７３１が装着される。
【００３３】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable Programmable Read-Only Memory）やフラッシュメモリなどのデータの書込みおよび消去が可能なＲＯＭである。
【００３４】
外部通信部１７４は、他の電子機器と通信を行なう。具体的には、外部通信部１７４は、ＵＳＢコネクタ１９４を介して、たとえば第２ユニット１００２と通信を行なう。また、外部通信部１７４は、アンテナ１９５を介して、たとえば第２ユニット１００２と無線通信を行なう。さらに、外部通信部１７４は、ＬＡＮコネクタ１９６を介して、他の電子機器との間で有線通信を行なう。
【００３５】
なお、本体装置１０１は、Ｂｌｕｅｔｏｏｔｈ（登録商標）以外の無線通信により、他の電子機器と通信を行なってもよい。たとえば、外部通信部１７４は、図示しない無線ＬＡＮアンテナを介して、ＬＡＮに接続された他の電子機器との間で無線通信を行なってもよい。あるいは、図示しない赤外線ポートを介して、他の電子機器との間で無線通信を行なってもよい。
【００３６】
電源スイッチ１９１は、電子機器１００を起動させるためのスイッチである。
電源スイッチ１９１がオンすると、電源回路１９２は、電源検出部１９３を介して、データバスＤＢ１に接続されている各構成要素と表示装置１０２とに電力を供給する。また、電源スイッチ１９１がオンすると、電源回路１９２は、電源検出部１９３を介することなく、外部通信部１７４に電力を供給する。
【００３７】
電源検出部１９３は、電源回路１９２からの出力を検出する。また、電源検出部１９３は、当該検出した出力に関する情報（たとえば、電圧値や電流値）を、ＣＰＵ１１０に送る。
【００３８】
ＵＳＢコネクタ１９４は、第１ユニット１００１を第２ユニット１００２に接続するために用いられる。なお、本体装置１０１は、ＵＳＢコネクタ１９４に加えて他のＵＳＢコネクタを備えていてもよい。
【００３９】
第１ユニット１００１は、ＵＳＢコネクタ１９４を介して、第２ユニット１００２にデータを送信する。また、第１ユニット１００１は、ＵＳＢコネクタ１９４を介して、第２ユニット１００２からデータを受信する。さらに、第１ユニット１００１は、ＵＳＢコネクタ１９４を介して、第２ユニット１００２に電力を供給する。
【００４０】
アンテナ１９５は、第１ユニット１００１と、他の通信装置（たとえば第２ユニット１００２）との間における、Ｂｌｕｅｔｏｏｔｈ（登録商標）の規格に沿った通信に用いられる。ＬＡＮコネクタ１９６は、電子機器１００をＬＡＮに接続するために用いられる。
【００４１】
表示装置１０２は、ドライバ１３０と、光センサ内蔵液晶パネル１４０（以下、液晶パネル１４０と称する）と、内部ＩＦ１７８と、バックライト１７９と、画像処理エンジン１８０とを含む。
【００４２】
ドライバ１３０は、液晶パネル１４０およびバックライト１７９を駆動するための駆動回路である。ドライバ１３０に含まれる各種の駆動回路については、後述する。
【００４３】
液晶パネル１４０は、液晶ディスプレイの機能と光センサの機能とを備えたデバイスである。つまり、液晶パネル１４０は、液晶を用いた画像の表示と、光センサを用いたセンシングとを行うことができる。液晶パネル１４０の詳細については、後述する。
【００４４】
内部ＩＦ（Interface）１７８は、本体装置１０１と表示装置１０２との間で、データの遣り取りを仲介する。
【００４５】
バックライト１７９は、液晶パネル１４０の裏面に配置された光源である。バックライト１７９は、当該裏面に対して均一な光を照射する。
【００４６】
画像処理エンジン１８０は、ドライバ１３０を介して液晶パネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、液晶パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００４７】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００４８】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行う。そして、信号処理部１８３は、上記データ処理を行った後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００４９】
上記コマンドは、上記光センサによりセンシングを指示するセンシングコマンドを含む。当該センシングコマンドの詳細および上記応答データの詳細については、後述する（図７，図８，および図１４）。
【００５０】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【００５１】
ここで、表示装置１０２は、システム液晶を含んでいる。なお、システム液晶とは、液晶パネル１４０の周辺機器を当該液晶パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、液晶パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００５２】
（第２ユニットについて）
第２ユニット１００２は、第１ユニット１００１から電力の供給を受ける。具体的には、後述するＵＳＢコネクタ２９４と第１ユニット１００１のＵＳＢコネクタ１９４とを接続することにより、第２ユニット１００２は、第１ユニット１００１の電源回路１９２から電力の供給を受ける。
【００５３】
本体装置１０４は、ＣＰＵ２１０と、ＲＡＭ２７１と、ＲＯＭ２７２と、外部通信部２７４と、電源検出部２９３と、ＵＳＢコネクタ２９４と、アンテナ２９５と、信号強度検出部２９７とを含む。各構成要素（２１０，２７１，２７２，２７４，２９３）は、相互にデータバスＤＢ２によって接続されている。
【００５４】
ＣＰＵ２１０は、プログラムを実行する。ＲＡＭ２７１は、ＣＰＵ２１０によるプログラムの実行により生成されたデータを揮発的に格納する。ＲＯＭ２７２は、データを不揮発的に格納する。また、ＲＯＭ２７２は、ＥＰＲＯＭ（Erasable Programmable Read-Only Memory）やフラッシュメモリなどのデータの書込みおよび消去が可能なＲＯＭである。
【００５５】
外部通信部２７４は、他の電子機器との間で通信を行なう。具体的には、外部通信部２７４は、ＵＳＢコネクタ２９４を介して、たとえば第１ユニット１００１と通信を行なう。また、外部通信部２７４は、アンテナ２９５を介して、たとえば第１ユニット１００１と通信を行なう。
【００５６】
なお、本体装置１０４は、Ｂｌｕｅｔｏｏｔｈ（登録商標）以外の無線通信により、他の電子機器（たとえば、第１ユニット１００１）と通信を行なってもよい。たとえば、外部通信部２７４は、図示しない赤外線ポートを介して、他の電子機器との間で無線通信を行なってもよい。
【００５７】
信号強度検出部２９７は、アンテナ２９５を介して受信した信号についての強度を検出する。そして、信号強度検出部２９７は、検出した強度を外部通信部２７４に送る。
【００５８】
ＵＳＢコネクタ２９４は、第２ユニット１００２を第１ユニット１００１に接続するために用いられる。
【００５９】
第２ユニット１００２は、ＵＳＢコネクタ２９４を介して、第１ユニット１００１にデータを送信する。また、第２ユニット１００２は、ＵＳＢコネクタ２９４を介して、第１ユニット１００１からデータを受信する。さらに、第２ユニット１００２は、上述したように、ＵＳＢコネクタ２９４を介して、第１ユニット１００１から電力の供給を受ける。なお、第２ユニット１００２は、第１ユニット１００１から供給された電力を、図示しないバッテリに蓄電する。
【００６０】
アンテナ２９５は、第２ユニット１００２と、たとえば第１ユニット１００１との間における、Ｂｌｕｅｔｏｏｔｈ（登録商標）の規格に沿った通信に用いられる。
【００６１】
電源検出部２９３は、ＵＳＢコネクタ２９４を介して給電された電力を検出する。また、電源検出部２９３は、当該検出した電力についての情報を、ＣＰＵ２１０に送る。
【００６２】
また、本体装置１０４は、赤外線通信を行なう機能を備えていてもよい。
表示装置１０３は、ドライバ２３０と、光センサ内蔵液晶パネル２４０（以下、「液晶パネル２４０」と称する）と、内部ＩＦ２７８と、バックライト２７９と、画像処理エンジン２８０とを含む。画像処理エンジン２８０は、ドライバ制御部２８１と、タイマ２８２と、信号処理部２８３とを含む。
【００６３】
表示装置１０３は、表示装置１０２と同様な構成を有する。つまり、ドライバ２３０、液晶パネル２４０、内部ＩＦ２７８、バックライト２７９、および画像処理エンジン２８０は、表示装置１０２における、ドライバ１３０、液晶パネル１４０、内部ＩＦ１７８、バックライト１７９、画像処理エンジン１８０と同じ構成をそれぞれ有する。ドライバ制御部２８１、タイマ２８２、および信号処理部２８３は、表示装置１０２における、ドライバ制御部１８１、タイマ１８２、信号処理部１８３と同じ構成をそれぞれ有する。したがって、表示装置１０３に含まれる各機能ブロックについての説明は、繰り返さない。
【００６４】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００６５】
図２に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００６６】
なお、記憶媒体としては、メモリカードに限られず、ＣＤ−ＲＯＭ、ＦＤ（Flexible  Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【００６７】
ここでいうプログラムとは、ＣＰＵにより直接実行可能なプログラムだけでなく、ソースプログラム形式のプログラム、圧縮処理されたプログラム、暗号化されたプログラム等を含む。
【００６８】
＜光センサ内蔵液晶パネルの構成および駆動について＞
次に、液晶パネル１４０の構成と、当該液晶パネル１４０の周辺回路の構成とについて説明する。図３は、液晶パネル１４０の構成と、当該液晶パネル１４０の周辺回路とを示した図である。
【００６９】
図３を参照して、液晶パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００７０】
また、図２に示した表示装置１０２のドライバ１３０は、液晶パネル１４０の周辺回路として、走査信号線駆動回路１３１と、データ信号線駆動回路１３２と、光センサ駆動回路１３３と、スイッチ１３４と、アンプ１３５とを含む。
【００７１】
走査信号線駆動回路１３１は、図２に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin Film Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００７２】
データ信号線駆動回路１３２は、図２に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００７３】
なお、ここでは、いわゆる線順次方式と呼ばれる駆動方式を用いて説明したが、駆動方式はこれに限定されるものではない。
【００７４】
画素回路１４１は、１つの画素の輝度（透過率）を設定するための回路である。また、画素回路１４１は、マトリクス状にｍ×ｎ個配されている。より詳しくは、画素回路１４１は、図３の縦方向にｍ個、横方向にｎ個配されている。
【００７５】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００７６】
なお、ｎ型のトランジスタとｐ型のトランジスタとを作れるＣＭＯＳ（Complementary Metal Oxide Semiconductor）を実現できること、キャリア（電子または正孔）の移動速度がアモルファスシリコン薄膜トランジスタ（a-Si TFT）に比べて数百倍早いことなどから、表示装置１０２では、ＴＦＴ１４２として多結晶シリコン薄膜トランジスタ(p-Si TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００７７】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【００７８】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００７９】
光センサ駆動回路１３３は、図２に示すドライバ制御部１８１から制御信号ＴＣ２を受ける。
【００８０】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００８１】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００８２】
なお、電圧ＶＤＤＲを印加するタイミング、および電圧ＶＤＤを印加するタイミングについては、後述する。
【００８３】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【００８４】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【００８５】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【００８６】
スイッチ１３４は、センサ信号線（ＳＤ１〜ＳＤｎ）に対して、予め定められた電圧を印加するか否かを切り換えるために設けられたスイッチである。スイッチ１３４の切り換え動作は、光センサ駆動回路１３３により行われる。なお、スイッチ１３４が導通状態となった場合にセンサ信号線（ＳＤ１〜ＳＤｎ）に印加される電圧については、後述する。
【００８７】
アンプ１３５は、各センサ信号線（ＳＳ１〜ＳＳｎ）から出力された電圧を増幅する。なお、増幅された電圧は、図２に示した信号処理部１８３に送られる。
【００８８】
なお、画素回路１４１を用いて画像を液晶パネル１４０に表示させるタイミングと、光センサ回路１４４を用いてセンシングするタイミングとについては、画像処理エンジン１８０が制御する。
【００８９】
図４は、液晶パネル１４０とバックライト１７９との断面図である。図４を参照して、液晶パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【００９０】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図４には示していないが、アクティブマトリクス基板１５１Ａは、図３に示した、コンデンサ１４６と、ＴＦＴ１４７と、ＴＦＴ１４２と、走査信号線Ｇｉとを含む。
【００９１】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【００９２】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【００９３】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【００９４】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【００９５】
液晶パネル１４０は、外光やバックライト１７９などの光源により発せられた光を遮ったり又は当該光を透過させたりすることによって、画像の表示をする。具体的には、液晶パネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【００９６】
なお、フォトダイオード１４５の位置は、上記の位置に限定されるものではなく、カラーフィルタ１５３ｒに対向する位置やカラーフィルタ１５３ｇに対向する位置に設けることも可能である。
【００９７】
ここで、光センサ回路１４４の動作について説明する。図５は、光センサ回路１４４を動作させる際のタイミングチャートを示した図である。図５において、電圧ＶＩＮＴは、光センサ回路１４４内のノードＮにおける電位を示している。また、電圧ＶＰＩＸは、図３に示したセンサ信号線ＳＳｊからの出力電圧であって、アンプ１３５によって増幅される前の電圧を示している。
【００９８】
以下では、光センサ回路１４４をリセットするためのリセット期間と、光センサ回路１４４を用いて光をセンシングするためのセンシング期間と、センシングした結果を読み出す読出期間とに分けて説明する。
【００９９】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【０１００】
ＶＩＮＴ＝ＶＳＳＲ＋｜ＶＤＤＲ−ＶＳＳＲ｜−Ｖｆ  …  （１）
それゆえ、ノードＮの電位は、図５に示すとおり、電圧ＶＤＤＲよりもＶｆだけ小さな値となる。
【０１０１】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【０１０２】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【０１０３】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図５に示すとおり、ノードＮの電位（つまり、電圧ＶＩＮＴ）は時間の経過とともに低くなる。
【０１０４】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【０１０５】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【０１０６】
このように、読出信号線ＲＷｉにハイレベルの電圧を瞬間的に印加することにより、図５に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【０１０７】
この際、ＴＦＴ１４７のドレイン側に接続されたセンサ信号線ＳＤｊ（図３参照）に予め一定電圧を印加しておけば、ＴＦＴ１４７のソース側に接続されたセンサ信号線ＳＳｊからは、図５のＶＰＩＸのグラフに示すとおり、ノードＮの電位に応じた電圧が出力される。
【０１０８】
ここで、フォトダイオード１４５が受光する光の量（以下、受光量と称する）が少ないと、図５のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【０１０９】
ところで、上記においては、ｍ×ｎ個存在する光センサ回路のうち、１つの光センサ回路１４４に着目して、その動作を説明した。以下では、液晶パネル１４０における各光センサ回路の動作について説明する。
【０１１０】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図３における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【０１１１】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【０１１２】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【０１１３】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【０１１４】
なお、表示装置１０２においては、上記のように行毎にセンシングが行われるとともに、行毎にセンシング結果が液晶パネル１４０から出力される。このため、以下では、液晶パネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【０１１５】
また、上記においては、ｍ×ｎ個の光センサ回路全てを用いてスキャンを行う構成を例に挙げたが、これに限定されるものではない。予め選択された光センサ回路を用いて、液晶パネル１４０の表面の一部の領域に関してスキャンを行うことも構成としてもよい。
【０１１６】
以下では、電子機器１００が、両構成のいずれの構成をも採れるものとする。さらに、当該構成間の切り換えは、操作キー１７７を介した入力などに基づく本体装置１０１から送られてくるコマンドにより行われるものとする。なお、液晶パネル１４０の表面の一部の領域に関してスキャンを行う場合、画像処理エンジン１８０が、スキャン対象領域の設定を行う。なお、当該領域の設定を、操作キー１７７を介してユーザが指定できる構成としてもよい。
【０１１７】
このように、液晶パネル１４０の表面の一部の領域に関してスキャンを行う場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【０１１８】
図６は、液晶パネル１４０とバックライト１７９との断面図であって、スキャンの際にフォトダイオード１４５がバックライト１７９からの光を受光する構成を示した図である。
【０１１９】
図６を参照して、ユーザの指９００が液晶パネル１４０の表面に接触している場合、バックライト１７９から発せられた光の一部は、当該接触している領域ではユーザの指９００（略平面）にて反射される。そして、フォトダイオード１４５は、当該反射された光を受光する。
【０１２０】
また、指９００が接触していない領域においても、バックライト１７９から発せられた光の一部は、ユーザの指９００にて反射される。この場合においても、フォトダイオード１４５は、当該反射された光を受光する。ただし、当該領域においては液晶パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【０１２１】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１２２】
以上により、表示装置１０２は、指９００によって光が反射されることにより得られる像（以下、反射像とも称する）をスキャンすることができる。
【０１２３】
なお、指９００以外のスキャン対象物としては、スタイラスなどが挙げられる。
ところで、本実施の形態においては、電子機器１００の表示装置として液晶パネルを例に挙げて説明しているが、液晶パネルの代わりに有機ＥＬ（Electro-Luminescence）パネルなどの他のパネルを用いてもよい。
【０１２４】
＜データについて＞
次に、第１ユニット１００１と第２ユニット１００２との間でやり取りされるコマンド、および第１ユニット１００１内の本体装置１０１と表示装置１０２との間でやり取りされるコマンドについて説明する。
【０１２５】
図７は、コマンドの概略構成を示した図である。図７を参照して、コマンドは、ヘッダＤＡ０１と、第１フィールドＤＡ０２と、第２フィールドＤＡ０３と、第３フィールドＤＡ０４と、第４フィールドＤＡ０５と、第５フィールドＤＡ０６と、予備のデータ領域ＤＡ０７とを含む。
【０１２６】
図８は、種別「０００」のコマンド（つまり、センシングコマンド）を説明するための図である。ＣＰＵ１１０は、種別「０００」のコマンド（以下、「第１コマンド」と称する）を、第１ユニット１００１の本体装置１０１から第２ユニット１００２に送る。あるいは、ＣＰＵ１１０は、第１コマンドを、本体装置１０１から表示装置１０２に送る。なお、以下においては、ＣＰＵ１１０が第１コマンドを第１ユニット１００１の本体装置１０１から第２ユニット１００２に送る場合を例に挙げて説明する。
【０１２７】
ＣＰＵ１１０は、ヘッダＤＡ０１に、コマンドの種別（「０００」）、コマンドの送信先等を書き込む。ＣＰＵ１１０は、第１フィールドＤＡ０２に、番号が「１」のタイミングの値を書き込む。ＣＰＵ１１０は、第２フィールドＤＡ０３に、番号が「２」のデータ種別の値を書き込む。ＣＰＵ１１０は、第３フィールドＤＡ０４に、番号が「３」の読取方式の値を書き込む。ＣＰＵ１１０は、第４フィールドＤＡ０５に、番号が「４」の画像階調の値を書き込む。ＣＰＵ１１０は、第５フィールドＤＡ０６に、番号が「５」の解像度の値を書き込む。
【０１２８】
第１フィールドＤＡ０２に「００」が設定された第１コマンドは、画像処理エンジン２８０に対して、そのときのスキャンデータの送信を要求する。つまり、センシング第１コマンドは、当該第１コマンドを画像処理エンジン２８０が受信した後に、液晶パネル２４０の光センサ回路を用いてスキャンすることにより得られるスキャンデータの送信を要求する。また、第１フィールドＤＡ０２に「０１」が設定された第１コマンドは、スキャン結果に変化があったときのスキャンデータの送信を要求する。さらに、第１フィールドＤＡ０２に「１０」が設定された第１コマンドは、一定周期毎にスキャンデータの送信を要求する。
【０１２９】
第２フィールドＤＡ０３に「００１」が設定された第１コマンドは、部分画像における中心座標の座標値の送信を要求する。また、第２フィールドＤＡ０３に「０１０」が設定された第１コマンドは、スキャン結果が変化した部分画像のみの送信を要求する。なお、スキャン結果が変化したとは、前回のスキャン結果と今回のスキャン結果が異なっていることを指す。さらに、第２フィールドＤＡ０３に「１００」が設定された第１コマンドは、全体画像の送信を要求する。
【０１３０】
ここで、「全体画像」とは、ｍ×ｎ個の光センサ回路を用いてスキャンした際に、各光センサ回路から出力される電圧に基づいて、画像処理エンジン２８０により生成された画像である。また、「部分画像」とは、全体画像の一部である。部分画像に関して、スキャン結果が変化した部分画像のみの送信を要求する構成とした理由については後述する。
【０１３１】
なお、上記座標値と上記部分画像または上記全体画像とを同時に要求する構成としてもよい。また、液晶パネル２４０の表面の一部の領域に関してスキャンを行う構成の場合には、上記全体画像はスキャンが行われる領域に対応した画像となる。
【０１３２】
第３フィールドＤＡ０４に「００」が設定されたセンシング第１コマンドは、バックライト２７９を点灯してスキャンすることを要求する。また、第３フィールドＤＡ０４に「０１」が設定された第１コマンドは、バックライト２７９を消灯してスキャンすることを要求する。なお、バックライト２７９を消灯してスキャンする構成については後述する（図１７）。さらに、第３フィールドＤＡ０４に「１０」が設定された第１コマンドは、反射と透過とを併用してスキャンすることを要求する。なお、反射と透過とを併用するとは、バックライト２７９を点灯してスキャンする方式と、バックライトを消灯してスキャンする方式とを切り換えて、スキャン対象物のスキャンを行うことを指す。
【０１３３】
第４フィールドＤＡ０５に「００」が設定された第１コマンドは、白黒の２値の画像データを要求する。また、第４フィールドＤＡ０５に「０１」が設定された第１コマンドは、多階調の画像データを要求する。さらに、第４フィールドＤＡ０５に「１０」が設定された第１コマンドは、ＲＧＢのカラーの画像データを要求する。
【０１３４】
第５フィールドＤＡ０６に「０」が設定された第１コマンドは、解像度の高い画像データを要求する。また、第５フィールドＤＡ０６に「１」が設定された第１コマンドは、解像度の低い画像データを要求する。
【０１３５】
また、上記第１コマンドには、図８に示したデータ以外に、スキャンを行う領域（光センサ回路１４４を駆動する画素の領域）の指定、スキャンを行うタイミング、バックライト１７９の点灯のタイミングなどが記述されている。
【０１３６】
なお、画像処理エンジン２８０は、第１コマンドの内容を解析し、当該解析の結果に従ったデータ（つまり、応答データ）を本体装置１０１に送り返す。
【０１３７】
図９は、種別「００１」のコマンド（以下、「第２コマンド」と称する）を説明するための図である。ＣＰＵ１１０は、第２コマンドを、第１ユニット１００１の本体装置１０１から第２ユニット１００２に送る。
【０１３８】
ＣＰＵ１１０は、ヘッダＤＡ０１に、コマンドの種別（「００１」）、コマンドの送信先等を書き込む。ＣＰＵ１１０は、第１フィールドＤＡ０２に、番号が「１」の表示要求の値を書き込む。ＣＰＵ１１０は、第２フィールドＤＡ０３に、番号が「２」の個数／種類に関する情報を書き込む。ＣＰＵ１１０は、第３フィールドＤＡ０４に、番号が「３」の表示範囲の値を書き込む。ＣＰＵ１１０は、第４フィールドＤＡ０５に、番号が「４」の画像データに関する情報を書き込む。
【０１３９】
第１フィールドＤＡ０２に「００１」が設定された第２コマンドは、液晶パネル２４０（サブ画面）に画像を表示させることを画像処理エンジン２８０に対して要求する。また、第１フィールドＤＡ０２に「０１０」が設定された第２コマンドは、液晶パネル２４０にアイコンを表示させることを画像処理エンジン２８０に対して要求する。さらに、第１フィールドＤＡ０２に「０１１」が設定された第２コマンドは、液晶パネル２４０に手書領域を表示させることを画像処理エンジン２８０に対して要求する。
【０１４０】
第２フィールドＤＡ０３には、液晶パネル２４０に表示させる画像の個数、および手書言語の種類を指定する番号が格納される。画像処理エンジン２８０は、当該画像の個数、または言語の種類に応じた処理を行う。
【０１４１】
第３フィールドＤＡ０４に「０１」が設定された第２コマンドは、液晶パネル２４０における表示範囲を座標にて指定することを、画像処理エンジン２８０に対して要求する。また、第３フィールドＤＡ０４に「１０」が設定された第２コマンドは、液晶パネル２４０における表示範囲を表示領域の全体にすることを、画像処理エンジン２８０に対して要求する。
【０１４２】
第４フィールドＤＡ０５には、液晶パネル２４０に表示させる画像データと、当該画像データを表示する位置情報とが格納される。画像処理エンジン２８０は、当該位置情報で特定される位置に当該画像データを表示する処理を行う。
【０１４３】
図１０は、種別「０１０」のコマンド（以下、「第３コマンド」と称する）を説明するための図である。ＣＰＵ１１０は、第３コマンドを、第１ユニット１００１の本体装置１０１から第２ユニット１００２に送る。あるいは、ＣＰＵ２１０は、第３コマンドを、第２ユニット１００２の本体装置１０４から第１ユニット１００１に送る。
【０１４４】
ＣＰＵ１１０，２１０は、ヘッダＤＡ０１に、コマンドの種別（「０１０」）、コマンドの送信先等を書き込む。ＣＰＵ１１０，２１０は、第１フィールドＤＡ０２に、番号が「１」のＯＳ（Operating System）処理要求の値を書き込む。ＣＰＵ１１０，２１０は、第２フィールドＤＡ０３に、番号が「２」のＯＳ情報の値を書き込む。
【０１４５】
第１フィールドＤＡ０２に「０１」または「１０」が設定された第３コマンドは、第２ユニット１００２から第１ユニット１００１に送信される。
【０１４６】
第１フィールドＤＡ０２に「０１」が設定された第３コマンドは、第１ユニット１００１に対して、当該第１ユニット１００１（メイン装置）のＯＳの種類を示した情報の送信を要求する。また、第１フィールドＤＡ０２に「１０」が設定された第３コマンドは、第１ユニット１００１に対して、ＯＳ情報にて指定されたＯＳの起動を要求する。
【０１４７】
第２フィールドＤＡ０３に「０００」、「００１」、または「０１０」が設定された第３コマンドは、第２ユニット１００２から第１ユニット１００１に送信される。
【０１４８】
第２フィールドＤＡ０３に「０００」が設定された第３コマンドは、第１ユニット１００１におけるＯＳの起動を要求しない。また、第２フィールドＤＡ０３に「００１」が設定された第３コマンドは、第２ユニット１００２が第１ＯＳの起動を選択したことを示す。さらに、第２フィールドＤＡ０３に「０１０」が設定された第３コマンドは、第２ユニット１００２が第２ＯＳの起動を選択したことを示す。
【０１４９】
図１１は、種別「０１１」のコマンド（以下、「第４コマンド」と称する）を説明するための図である。ＣＰＵ２１０は、第４コマンドを、第２ユニット１００２の本体装置１０４から第１ユニット１００１に送る。
【０１５０】
ＣＰＵ２１０は、ヘッダＤＡ０１に、コマンドの種別（「０１１」）、コマンドの送信先等を書き込む。ＣＰＵ２１０は、第１フィールドＤＡ０２に、番号が「１」の起動アプリに関する情報を書き込む。ＣＰＵ２１０は、第２フィールドＤＡ０３に、番号が「２」の起動時情報を書き込む。
【０１５１】
第１フィールドＤＡ０２には、第１ユニット１００１において起動させるアプリを指定する情報が格納される。第２フィールドＤＡ０３には、起動設定時に用いる情報、および起動後に用いる情報が格納される。
【０１５２】
図１２は、種別「１００」のコマンド（以下、「第５コマンド」と称する）を説明するための図である。ＣＰＵ２１０は、第５コマンドを、第２ユニット１００２の本体装置１０４から第１ユニット１００１に送る。
【０１５３】
ＣＰＵ２１０は、ヘッダＤＡ０１に、コマンドの種別（「１００」）、コマンドの送信先等を書き込む。ＣＰＵ２１０は、第１フィールドＤＡ０２に、番号が「１」の受信要求に関する情報を書き込む。ＣＰＵ２１０は、第２フィールドＤＡ０３に、番号が「２」の個数に関する情報を書き込む。ＣＰＵ２１０は、第３フィールドＤＡ０４に、番号が「３」のファイルに関する情報を書き込む。
【０１５４】
第１フィールドＤＡ０２に「０１」が設定された第５コマンドは、第１ユニット１００１に対してファイルの受信を要求する。また、第２フィールドＤＡ０３には、第２ユニット１００２が第１ユニット１００１に送信するファイルの個数が格納される。さらに、第３フィールドＤＡ０４には、第２ユニット１００２が第１ユニット１００１に送信するファイルが格納される。
【０１５５】
図１３は、種別「１０１」のコマンド（以下、「第６コマンド」と称する）を説明するための図である。ＣＰＵ１１０は、第６コマンドを、第１ユニット１００１の本体装置１０１から第２ユニット１００２に送る。あるいは、ＣＰＵ２１０は、第６コマンドを、第２ユニット１００２の本体装置１０４から第１ユニット１００１に送る。
【０１５６】
ＣＰＵ１１０，２１０は、ヘッダＤＡ０１に、コマンドの種別（「１０１」）、コマンドの送信先等を書き込む。ＣＰＵ１１０，２１０は、第１フィールドＤＡ０２に、番号が「１」の通信種別の値を書き込む。ＣＰＵ１１０，２１０は、第２フィールドＤＡ０３に、番号が「２」の接続先の値を書き込む。ＣＰＵ１１０，２１０は、第３フィールドＤＡ０４に、番号が「３」の転送先の値を書き込む。ＣＰＵ１１０，２１０は、第４フィールドＤＡ０５に、番号が「４」の信号強度の取得タイミングの値を書き込む。
【０１５７】
第１フィールドＤＡ０２に「００１」が設定された第６コマンドは、相手側の装置に対して赤外線通信を行なうことを要求する。また、第１フィールドＤＡ０２に「０１０」が設定された第６コマンドは、相手側の装置に対してＢｌｕｅｔｏｏｔｈ（登録商標）による無線通信を行なうことを要求する。さらに、第１フィールドＤＡ０２に「０１１」が設定された第６コマンドは、相手側の装置に対してＬＡＮ通信を行なうことを要求する。
【０１５８】
第２フィールドＤＡ０３に「０００」が設定された第６コマンドは、通信の接続先を指定する情報を有していないことを示す。
【０１５９】
また、第２フィールドＤＡ０３に「００１」が設定された第６コマンドは、第１ユニット１００１によって、当該第１ユニット１００１の接続先の装置に送信される。そのような第６コマンドは、第１ユニット１００１が接続する装置に関する情報の送信を要求する。
【０１６０】
さらに、第２フィールドＤＡ０３に「０１０」が設定された第６コマンドは、第２ユニット１００２によって、当該第２ユニット１００２の接続先の第１ユニット１００１に送信される。そのような第６コマンドは、第２ユニット１００２が接続する第１ユニット１００１に関する情報の送信を要求する。
【０１６１】
また、第２フィールドＤＡ０３に「０１１」が設定された第６コマンドは、第２ユニット１００２によって、当該第２ユニット１００２の接続先の第１ユニット１００１に送信される。そのような第６コマンドは、第２ユニット１００２に関する情報を接続先の機器情報として設定することを要求する。
【０１６２】
さらに、第２フィールドＤＡ０３に「１００」が設定された第６コマンドは、第１ユニット１００１によって、当該第１ユニット１００１の接続先の装置（たとえば、第２ユニット１００２）に送信される。そのような第６コマンドは、第１ユニット１００１に関する情報を接続先の機器情報として設定することを要求する。
【０１６３】
第３フィールドＤＡ０４に「０００」が設定された第６コマンドは、データ（たとえば、ファイル）の転送先を指定する情報を有していないことを示す。
【０１６４】
また、第３フィールドＤＡ０４に「００１」が設定された第６コマンドは、第１ユニット１００１によって、データ転送先の装置に送信される。そのような第６コマンドは、データ転送先の装置に関する情報の送信を要求する。
【０１６５】
さらに、第３フィールドＤＡ０４に「０１０」が設定された第６コマンドは、第２ユニット１００２によって、データ転送先の第１ユニット１００１に送信される。そのような第６コマンドは、データ転送先の第１ユニット１００１に関する情報の送信を要求する。
【０１６６】
また、第３フィールドＤＡ０４に「０１１」が設定された第６コマンドは、第２ユニット１００２によって、データ転送先の第１ユニット１００１に送信される。そのような第６コマンドは、第２ユニット１００２に関する情報をデータ転送元の機器情報として設定することを要求する。
【０１６７】
さらに、第３フィールドＤＡ０４に「１００」が設定された第６コマンドは、第１ユニット１００１によって、データ転送先の装置（たとえば、第２ユニット１００２）に送信される。そのような第６コマンドは、第１ユニット１００１に関する情報をデータ転送元の機器情報として設定することを要求する。
【０１６８】
第４フィールドＤＡ０５に「００」、「０１」、「１０」、または「１１」が設定された第６コマンドは、第１ユニット１００１によって、第２ユニット１００２に送信される。
【０１６９】
第４フィールドＤＡ０５に「００」が設定された第６コマンドは、第２ユニット１００２に対して、信号強度を示したデータの送信を要求しない。また、第４フィールドＤＡ０５に「０１」が設定された第６コマンドは、信号強度検出部２９７に対して、そのときの信号強度を示したデータの送信を要求する。さらに、第４フィールドＤＡ０５に「１０」が設定された第６コマンドは、信号強度に変化があったときの信号強度を示したデータの送信を要求する。また、第４フィールドＤＡ０５に「１１」が設定された第６コマンドは、一定周期毎に信号強度を示したデータの送信を要求する。
【０１７０】
図１４は、応答データの概略構成を示した図である。応答データは、第１コマンド（センシングコマンド）の内容に応じたデータである。
【０１７１】
第１コマンドが本体装置１０１から第２ユニット１００２に送信された場合、ＣＰＵ２１０は、応答データを、表示装置１０３から第１ユニット１００１に送信する。また、第１コマンドが本体装置１０１から第１ユニット１００１の表示装置１０２に送信された場合、画像処理エンジン１８０は、応答データを、画像処理エンジン１８０から本体装置１０１に送信する。なお、以下では、第１コマンドが本体装置１０１から第２ユニット１００２に送信された場合を例に挙げて説明する。
【０１７２】
図１４を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン２８０のタイマ２８２から取得した時刻情報が書き込まれる。さらに、画像を示すデータ領域には、画像処理エンジン２８０により処理がされた後の画像データ（つまり、スキャンデータ）が書き込まれる。
【０１７３】
図１５は、指９００をスキャンすることにより得られた画像（つまり、スキャン画像）を示した図である。図１５を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１７４】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１７５】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行うことにより決定される。つまり、中心座標は、部分画像の図心とは必ずしも一致しない。
【０１７６】
ただし、必ずしも中心座標の位置は上記に限定されるものではなく、中心座標を上記図心の座標あるいは図心の近傍の座標としてもよい。
【０１７７】
第１コマンドのデータ種別を示すデータ領域に「００１」が設定されている場合には、画像処理エンジン２８０は、座標を示すデータ領域ＤＡ１２に上記中心座標の値を書き込む。この場合、画像処理エンジン２８０は、画像を示すデータ領域ＤＡ１４には画像データを書き込まない。画像処理エンジン２８０は、上記中心座標の値の書き込みを行なった後、当該中心座標の値を含む応答データを本体装置１０４に送る。本体装置１０４は、当該中心座標の値を含む応答データを第１ユニット１００１の本体装置１０１に送る。このように、データ種別を示すデータ領域に「００１」が設定されている場合には、第１コマンドは、画像データの出力を要求せずに、中心座標の値の出力を要求する。
【０１７８】
また、第１コマンドのデータ種別を示すデータ領域に「０１０」が設定されている場合には、画像処理エンジン２８０は、画像を示すデータ領域ＤＡ１４に、スキャン結果が変化した部分画像の画像データを書き込む。この場合、画像処理エンジン２８０は、中心座標の値を座標を示すデータ領域ＤＡ１２に書き込まない。画像処理エンジン２８０は、上記スキャン結果が変化した部分画像の画像データの書き込みを行なった後、当該部分画像の画像データを含む応答データを本体装置１０４に送る。本体装置１０４は、当該部分画像の画像データを含む応答データを第１ユニット１００１の本体装置１０１に送る。このように、データ種別を示すデータ領域に「０１０」が設定されている場合には、第１コマンドは、中心座標の値の出力を要求せずに、スキャン結果が変化した部分画像の画像データの出力を要求する。
【０１７９】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１８０】
また、第１コマンドのデータ種別を示すデータ領域に「０１１」が設定されている場合には、画像処理エンジン２８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン２８０は、当該中心座標の値と当該部分画像の画像データとを含む応答データを本体装置１０４に送る。本体装置１０４は、当該中心座標の値と当該部分画像の画像データとを含む応答データを第１ユニット１００１の本体装置１０１に送る。このように、データ種別を示すデータ領域に「０１１」が設定されている場合には、第１コマンドは、中心座標の値の出力と、スキャン結果が変化した部分画像の画像データの出力とを要求する。
【０１８１】
また、第１コマンドのデータ種別を示すデータ領域に「１００」が設定されている場合には、画像処理エンジン２８０は、図１４に示した応答データの画像を示すデータ領域ＤＡ１４に、全体画像の画像データを書き込む。この場合、画像処理エンジン２８０は、中心座標の値を座標を示すデータ領域ＤＡ１２に書き込まない。画像処理エンジン２８０は、上記全体画像の画像データの書き込みを行なった後、当該全体画像の画像データを含む応答データを本体装置１０４に送る。本体装置１０４は、当該全体画像の画像データを含む応答データを第１ユニット１００１の本体装置１０１に送る。このように、データ種別を示すデータ領域に「１００」が設定されている場合には、第１コマンドは、中心座標の値の出力を要求せずに、全体画像の画像データの出力を要求する。
【０１８２】
また、第１コマンドのデータ種別を示すデータ領域に「１０１」が設定されている場合には、画像処理エンジン２８０は、座標を示すデータ領域ＤＡ１２に中心座標の値を書き込むとともに、画像を示すデータ領域ＤＡ１４に全体画像の画像データを書き込む。その後、画像処理エンジン２８０は、当該中心座標の値と当該全体画像の画像データとを含む応答データを本体装置１０４に送る。本体装置１０４は、当該中心座標の値と当該全体画像の画像データとを含む応答データを第１ユニット１００１の本体装置１０１に送る。このように、データ種別を示すデータ領域に「１０１」が設定されている場合には、第１コマンドは、中心座標の値の出力と、全体画像の画像データの出力とを要求する。
【０１８３】
＜構成の第１の変形例について＞
ところで、液晶パネル１４０の構成は、図３に示した構成に限定されるものではない。以下では、図３とは異なる態様の液晶パネルについて説明する。
【０１８４】
図１６は、上記異なる態様である光センサ内蔵液晶パネル１４０Ａの回路図である。図１６を参照して、光センサ内蔵液晶パネル１４０Ａ（以下、液晶パネル１４０Ａと称する）は、１画素内に３つの光センサ回路（１４４ｒ，１４４ｇ，１４４ｂ）を含んでいる。このように液晶パネル１４０Ａが１画素内に３つの光センサ回路（１４４ｒ，１４４ｇ，１４４ｂ）を備える点において、液晶パネル１４０Ａは、１画素内に１つの光センサ回路を備える液晶パネル１４０と異なる。なお、光センサ回路１４４の構成と、３つの各光センサ回路（１４４ｒ，１４４ｇ，１４４ｂ）との構成は同じである。
【０１８５】
また、１画素内における３つのフォトダイオード（１４５ｒ，１４５ｇ，１４５ｂ）は、それぞれ、カラーフィルタ１５３ｒ、カラーフィルタ１５３ｇ、カラーフィルタ１５３ｂに対向する位置に配されている。それゆえ、フォトダイオード１４５ｒは赤色の光を受光し、フォトダイオード１４５ｇは緑色の光を受光し、フォトダイオード１４５ｂは青色の光を受光する。
【０１８６】
また、液晶パネル１４０は１画素内において１つの光センサ回路１４４しか含まないため、１画素内に配設されるＴＦＴ１４７用のデータ信号線は、センサ信号線ＳＳｊとセンサ信号線ＳＤｊとの２本であった。しかしながら、液晶パネル１４０Ａは１画素内において３つの光センサ回路（１４４ｒ，１４４ｇ，１４４ｂ）を含むため、１画素内に配設されるＴＦＴ（１４７ｒ，１４７ｇ，１４７ｂ）用のデータ信号線は６本となる。
【０１８７】
具体的には、カラーフィルタ１５３ｒに対向する位置に配されたフォトダイオード１４５ｒのカソードに接続されたＴＦＴ１４７ｒに対応して、センサ信号線ＳＳＲｊとセンサ信号線ＳＤＲｊとが配設される。また、カラーフィルタ１５３ｇに対向する位置に配されたフォトダイオード１４５ｇのカソードに接続されたＴＦＴ１４７ｇに対応して、センサ信号線ＳＳＧｊとセンサ信号線ＳＤＧｊとが配設される。さらに、カラーフィルタ１５３ｂに対向する位置に配されたフォトダイオード１４５ｂのカソードに接続されたＴＦＴ１４７ｂに対応して、センサ信号線ＳＳＢｊとセンサ信号線ＳＤＢｊとが配設される。
【０１８８】
このような液晶パネル１４０Ａにおいては、バックライト１７９から照射された白色光は、３つのカラーフィルタ（１５３ｒ，１５３ｇ，１５３ｂ）を透過し、液晶パネル１４０Ａの表面では、赤、緑、および青とが混ざり白色光となる。ここで、スキャン対象物により白色光が反射されると、スキャン対象物の表面の色素に白色光の一部が吸収され、また一部が反射される。そして、反射された光は、再度、３つのカラーフィルタ（１５３ｒ，１５３ｇ，１５３ｂ）を透過する。
【０１８９】
この際、カラーフィルタ１５３ｒは赤色の波長の光を透過し、フォトダイオード１４５ｒは、当該赤色の波長の光を受光する。また、カラーフィルタ１５３ｇは緑色の波長の光を透過し、フォトダイオード１４５ｇは、当該緑色の波長の光を受光する。また、カラーフィルタ１５３ｂは青色の波長の光を透過し、フォトダイオード１４５ｂは、当該青色の波長の光を受光する。つまり、スキャン対象物によって反射された光は３つのカラーフィルタ（１５３ｒ，１５３ｇ，１５３ｂ）によって３原色（Ｒ，Ｇ，Ｂ）に色分解され、各フォトダイオード（１４５ｒ，１４５ｇ，１４５ｂ）は、それぞれに対応した色の光を受光する。
【０１９０】
スキャン対象物の表面の色素に白色光の一部が吸収されると、各フォトダイオード（１４５ｒ，１４５ｇ，１４５ｂ）の受光量が各フォトダイオード（１４５ｒ，１４５ｇ，１４５ｂ）で異なることになる。このため、センサ信号線ＳＳＲｊとセンサ信号線ＳＳＧｊとセンサ信号線ＳＳＢｊとの出力電圧は互いに異なる。
【０１９１】
それゆえ、各出力電圧に応じて、Ｒの階調とＧの階調とＢの階調とを画像処理エンジン１８０が決定することにより、画像処理エンジン１８０はＲＧＢのカラー画像を本体装置１０１へ送ることができる。
【０１９２】
以上述べたように、電子機器１００が液晶パネル１４０Ａを備えた構成とすることにより、スキャン対象物をカラーでスキャンできることになる。
【０１９３】
次に、図１７を参照して、前述のスキャンの方法（つまり、図６における反射像をスキャンする方法）とは異なるスキャンの方法について説明する。
【０１９４】
図１７は、スキャンの際にフォトダイオードが外光を受光する構成を示した断面図である。同図に示すとおり、外光の一部は、指９００によって遮られる。それゆえ、指９００と接触している液晶パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０１９５】
ここで、バックライト１７９を、少なくともセンシング期間においては消灯させておくことにより、光センサ回路１４４は、液晶パネル１４０の表面に対する指９００の位置に応じた電圧をセンサ信号線ＳＳｊから出力することができる。このように、バックライト１７９を点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１９６】
以上により、表示装置１０２は、指９００によって外光が遮られることにより得られる像（以下、影像とも称する）をスキャンすることができる。
【０１９７】
さらに、表示装置１０２を、バックライト１７９を点灯させてスキャンを行った後に、バックライト１７９を消灯させて再度スキャンを行う構成としてもよい。あるいは、表示装置１０２を、バックライト１７９を消灯させてスキャンを行った後に、バックライト１７９を点灯させて再度スキャンを行う構成としてもよい。
【０１９８】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０１９９】
＜表示装置について＞
表示装置１０３の動作は、表示装置１０２の動作と同様、本体装置１０１からのコマンド（たとえば、第１コマンド）に応じて制御される。表示装置１０３は表示装置１０２と同様な構成を有する。それゆえ、表示装置１０３が表示装置１０２と同じコマンドを本体装置１０１から受け付けた場合、表示装置１０３は表示装置１０２と同様の動作を行う。このため、表示装置１０３の構成や動作についての説明は繰り返さない。
【０２００】
なお、本体装置１０１は、表示装置１０２と表示装置１０３とに対して、命令が異なるコマンドを送ることができる。この場合、表示装置１０２と表示装置１０３とは別々の動作を行う。また、本体装置１０１は、表示装置１０２および表示装置１０３のいずれかに対して、コマンドを送ってもよい。この場合、一方の表示装置のみがコマンドに応じた動作を行う。また、本体装置１０１が、表示装置１０２と表示装置１０３とに命令が同じコマンドを送ってもよい。この場合、表示装置１０２と表示装置１０３とは、同じ動作を行う。
【０２０１】
なお、表示装置１０２の液晶パネル１４０のサイズと表示装置１０３の液晶パネル２４０のサイズとは、同じであってもよいし又は異なっていてもよい。また、液晶パネル１４０の解像度と液晶パネル２４０の解像度とは、同じであってもよいし又は異なっていてもよい。
【０２０２】
＜構成の第２の変形例について＞
本実施の形態では、電子機器１００が、液晶パネル１４０と液晶パネル２４０といったそれぞれに光センサを内蔵した液晶パネルを備える構成について説明するが、一方の液晶パネルのみが光センサを内蔵している構成であってもよい。
【０２０３】
図１８は、電子機器１３００のハードウェア構成を表すブロック図である。電子機器１３００は、電子機器１００と同様、第１の筐体１００Ａと、第２の筐体１００Ｂとを含む。また、図１８を参照して、電子機器１３００は、第１ユニット１００１Ａと、第２ユニット１００２とを含む。第１ユニット１００１Ａは、本体装置１０１と、表示装置１０２Ａとを含む。第２ユニット１００２は、本体装置１０４と、表示装置１０３とを含む。
【０２０４】
表示装置１０２Ａは、光センサを内蔵しない液晶パネル（つまり、表示機能のみを有する液晶パネル）を含む。電子機器１３００は、第１ユニット１００１Ａが光センサを内蔵しない液晶パネルを含む点で、第１ユニット１００１が光センサを内蔵した液晶パネル２４０を含む電子機器１００と異なる。このような電子機器１３００は、第２ユニット１００２の表示装置１０３を用いて上述したセンシングを行なう。
【０２０５】
また、第１ユニット１００１は、光センサを内蔵した液晶パネル１４０の代わりに、たとえば抵抗膜方式や静電容量方式のタッチパネルを備えてもよい。
【０２０６】
また、本実施の形態では、表示装置１０２がタイマ１８２を備え、表示装置１０３がタイマ２８２を備える構成として説明するが、表示装置１０２と表示装置１０３とが１つのタイマを共有する構成としてもよい。
【０２０７】
また、本実施の形態では、電子機器１００を折畳型の機器として説明するが、電子機器１００は必ずしも折畳型に限定されるものではない。たとえば、電子機器１００は、第１の筐体１００Ａが第２の筐体１００Ｂに対してスライドする構成のスライド式の機器であってもよい。
【０２０８】
本実施の形態に係る電子機器１００は、上記のように構成されているため、第２ユニット１００２が、ＵＳＢコネクタ１９４，２９４を介して第１ユニット１００１に着脱自在になっている。
【０２０９】
そして、本実施の形態に係る電子機器１００は、たとえば電源投入時において、以下のような機能を発揮することができる。まず、ユーザが第１ユニット１００１の電源スイッチ１９１を押下すると、第１ユニット１００１は電源回路１９２からの電力を利用することによってＢＩＯＳ（Basic Input/Output System）を起動させる。
【０２１０】
第２ユニット１００２は、ＵＳＢコネクタ１９４，２９４を介して第１ユニット１００１から電力を取得する。第２ユニット１００２は、当該電力を利用することによって、第１ユニット１００１との間でデータを送受信することができる。このとき、第２ユニット１００２のＣＰＵ２１０は、ＵＳＢコネクタ１９４，２９４からの電力を使用することによって、液晶パネル２４０にＯＳ（Operation System）の種類を選択可能に表示させることができる。
【０２１１】
ユーザは、液晶パネル２４０を介して、起動したいＯＳを選択する。ＣＰＵ２１０は、ユーザの選択に応じ、ＵＳＢコネクタ１９４，２９４を介して第１ユニット１００１へと、起動すべきＯＳを指定するコマンド（たとえば、図１０に示す「第１のＯＳ」コマンド）を送信する。第１ユニット１００１は、当該コマンドに応じて、ＯＳを起動する。
【０２１２】
また、たとえば、第２ユニット１００２は、アンテナ２９５を介して外部の携帯電話などとの間でデータの送受信を行う。第２ユニット１００２のＣＰＵ２１０は、アンテナ２９５を介して、外部の携帯電話から写真画像データや対応するサムネイルデータを取得して、当該写真画像データや対応するサムネイルデータをＲＡＭ２７１などに格納する。ＣＰＵ２１０は、ＲＡＭ２７１からサムネイルデータを読み出して、液晶パネル２４０に写真のサムネイル画像を選択可能に表示させる。
【０２１３】
そして、外部からの選択命令に応じて、ＣＰＵ２１０は、液晶パネル２４０に写真画像を表示させる。あるいは、ＣＰＵ２１０は、ＵＳＢコネクタ２９４を介して、写真画像を液晶パネル１４０あるいは表示装置１０２Ａに表示させる。
【０２１４】
＜機能的構成＞
本実施の形態に係る電子機器１００の機能的構成を図１９を参照して説明する。図１９を参照して、電子機器１００は、すでに説明したように、第１ユニット１００１と、第２ユニット１００２とを備える。
【０２１５】
第１ユニット１００１は、入力部３１０と、出力部３２０と、記憶部３３０と、インターフェース部３４０と、制御部３５０とを含む。
【０２１６】
入力部３１０は、外部からの指示を受け付ける。本実施の形態では、操作キー１７７が入力部３１０の機能を果たす。また、光センサを内蔵する液晶パネル１４０も入力部３１０の機能を果たす。
【０２１７】
出力部３２０は、第１ユニット１００１内部の情報を外部に出力する。出力部３２０は、画像を表示する表示部３２２を含む。本実施の形態では、液晶パネル１４０が、表示部３２２の機能を果たす。ただし、表示部３２２としては、他の表示装置、例えば、ＬＣＤ（Ｌｉｑｕｉｄ  Ｃｒｙｓｔａｌ  Ｄｉｓｐｌａｙ）などのディスプレイを用いてもよい。
【０２１８】
記憶部３３０は、複数のメニュー３３２などの情報を格納する。各メニュー３３２は、入力部３１０が受け付けた指示に基づいて選択可能である。メニュー３３２は、例えば、画像のサムネイル、コマンドメニューを含む。
【０２１９】
インターフェース部３４０は、第２ユニット１００２側のインターフェース部４４０との間で情報の授受を行なう。本実施の形態では、第１ユニット１００１と第２ユニット１００２が直接接続されている場合、ＵＳＢコネクタ１９４がインターフェース部３４０として機能する。第１ユニット１００１と第２ユニット１００２が直接接続されていない場合、アンテナ１９５がインターフェース部３４０として機能する。ただし、インターフェース部３４０による情報の授受方法は、これに限られるわけではない。
【０２２０】
制御部３５０は、入力部３１０が受け付けた指示等に基づいて、出力部３２０、記憶部３３０、および、インターフェース部３４０の動作を制御する。
【０２２１】
第２ユニット１００２は、表示・入力部４１０と、記憶部４３０と、インターフェース部４４０と、制御部４５０とを含む。
【０２２２】
表示・入力部４１０は、第２ユニット１００２内部の情報を外部に表示する。また、表示・入力部４１０は、外部からの指示を受け付ける。本実施の形態では、光センサ内蔵液晶パネル２４０およびバックライト２７９が、表示・入力部４１０の機能を果たす。ただし、表示・入力部４１０の構成は、これに限られるわけではない。他の表示装置、例えば、ＬＣＤ（Ｌｉｑｕｉｄ  Ｃｒｙｓｔａｌ  Ｄｉｓｐｌａｙ）などのディスプレイと、多点入力可能な入力デバイスとを組み合わせたものを表示・入力部４１０として用いることもできる。
【０２２３】
記憶部４３０は、複数のメニュー４３２および表示・入力部４１０に表示される表示データ４３４などの情報を格納する。メニュー４３２は、第１のユニット１００１の記憶部３３０に格納されるメニュー３３２と同様、例えば、画像のサムネイル、コマンドメニューを含む。
【０２２４】
インターフェース部４４０は、第１ユニット１００１側のインターフェース部３４０との間で情報の授受を行なう。本実施の形態では、第１ユニット１００１と第２ユニット１００２が直接接続されている場合、ＵＳＢコネクタ２９４がインターフェース部４４０として機能する。第１ユニット１００１と第２ユニット１００２が直接接続されていない場合、アンテナ２９５がインターフェース部４４０として機能する。ただし、インターフェース部４４０による情報の授受方法は、これに限られるわけではない。
【０２２５】
制御部４５０は、表示・入力部４１０が受け付けた指示等に基づいて、表示・入力部４１０、記憶部４３０、および、インターフェース部４４０の動作を制御する。制御部４５０は、表示制御部４５２と、位置算出部４５４と、メニュー選択部４５６とを含む。
【０２２６】
表示制御部４５２は、液晶パネル２４０およびバックライト２７９を制御し、表示データ４３４に基づく画像を、液晶パネル２４０に表示する。特に、表示制御部４５２は、複数のメニュー４３２を含む表示データ４３４を作成し、表示データ４３４に基づく画像を、液晶パネル２４０に表示する。ここで、複数のメニュー４３２を含む表示データ４３４は、各メニュー４３２の表示位置情報を含む。
【０２２７】
位置算出部４５４は、外部からの指示位置を算出する。具体的には、位置算出部４５４は、例えば、液晶パネル２４０によるセンシング結果に基づいて部分画像の領域を求め、部分画像の領域の中心座標を指示位置として算出する。本実施の形態では、位置算出部４５４は、液晶パネル２４０への入力がある間、指示位置を出力する。つまり、位置算出部４５４は、指９００などの外部物体が液晶パネル２４０に接触あるいは近接している間、指示位置をたえず出力する。
【０２２８】
メニュー選択部４５６は、位置算出部４５４が算出した指示位置に基づいて、液晶パネル２４０に表示されているメニューの中から、メニューを選択する。メニュー選択部４５６によるメニューの選択方法の詳細については後述する。また、メニュー選択部４５６は、選択したメニューをインターフェース部４４０に渡す。
【０２２９】
＜動作＞
（概要）
電子機器１００の使用の際、複数のファイルの指定が必要となることがある。電子機器１００は、ユーザによる複数のファイルの指定を容易にする。電子機器１００の動作の概要を図２０を参照して説明する。図２０では、一例として、電子メールに複数のファイルを添付する際の電子機器１００の動作を示している。
【０２３０】
図２０（ａ）は、電子メールアプリケーションを起動したときに電子機器１００が表示する画面を示す図である。図２０（ａ）を参照して、第１ユニット１００１側の液晶パネル１４０は、宛先（Ｔｏ）欄、件名（Ｔｉｔｌｅ)欄、本文欄、添付ボタンを含む画面を表示する。第２ユニット１００２側の液晶パネル２４０は、なにも表示しない。ただし、液晶パネル２４０は、何らかの画面を表示していても構わない。
【０２３１】
図２０（ｂ）は、図２０（ａ）に示す添付ボタンが選択されたときに、電子機器１００が表示する画面を示す図である。図２０（ｂ）を参照して、液晶パネル２０４は、複数のメニュー（ここでは、サムネイル画像）を含む画面を表示する。ここで、液晶パネル２０４が表示するメニューは、第２ユニット１００２に予め格納されていたものであってもよいし、添付ボタンが選択されたときに、第１ユニット１００１から第２ユニット１００２に送られたものであってもよい。
【０２３２】
ユーザは、指９００あるいは指９００＃で液晶パネル２４０に触れることにより、各サムネイル画像を選択することができる。なお、ユーザは、指９００あるいは９００＃のかわりに、スタイラスなどの入力装置を用いてサムネイル画像を選択してもよい。
【０２３３】
図２０（ｃ）は、図２０（ｂ）に示す液晶パネル２４０内の画像ａｂｃと、画像ｇｈｉとが同時にタッチされたときに、電子機器１００が表示する画面を示す図である。２つのメニューが同時にタッチされると、タッチされた画像ではさまれる画像が仮選択画像として抽出される。液晶パネル２４０は、抽出された仮選択画像を枠で囲んで表示する。ただし、液晶パネル２４０は、これらの候補画像を、他の方法でハイライト表示しても構わない。
【０２３４】
さらに、電子機器１００は、抽出された仮選択画像の選択を確定する指示（選択決定指示とよぶ）を受け付けると、仮選択画像を選択画像に決定する。電子メールアプリケーションは、決定された選択画像、すなわち、画像ａｂｃ、画像ｄｅｆ、および、画像ｇｈｉを、作成中の電子メールに添付する。液晶パネル１４０は、添付された画像のファイル名を添付ボタンの横に表示する。
【０２３５】
なお、本実施の形態では、電子機器１００は、液晶パネル２４０に表示される決定ボタン（図２０では図示せず）へのタッチを、選択決定指示とみなすものとする。しかしながら、選択決定指示は、これに限られるものではない。電子機器１００は、２つのメニューが同時にタッチされたことに応じて、選択決定指示なしに、タッチされた画像ではさまれる画像を選択画像として選択してもよい。ただし、選択決定指示を用いる本実施の形態には、ユーザが誤った領域を選択したことによる誤動作を防ぐことができるという利点がある。
【０２３６】
以上説明したように、電子機器１００は、選択候補となるメニューを複数含む画面を第２ユニット１００２の液晶パネル２４０に表示する。そのため、電子機器１００は、液晶パネル１４０上での作業スペースを確保したまま、ユーザにメニューを選択させることができる。
【０２３７】
（複数メニューの選択）
本実施の形態に係る電子機器１００が、液晶パネル２４０への入力に応じて、メニューを選択する規則について、より詳しく説明する。
【０２３８】
本実施の形態においては、メニュー選択部４５６は、２つの指示位置の同時入力を、複数メニュー選択モードへの切り替え指示とみなす。つまり、メニュー選択部４５６は、位置算出部４５４から２つの指示位置の入力を受け付けると、２つの指示位置を対角の頂点とする矩形内のメニューを仮選択する。ここで、矩形の各辺の方向は、表示画面の水平方向あるいは垂直方向のいずれかに一致する。なお、２つの指示位置の水平座標または垂直座標が一致する場合、メニュー選択部４５６は、２つの指示位置を結ぶ線分上のメニューを仮選択するものとする。
【０２３９】
メニューが仮選択された状態で、表示・入力部４１０が選択決定指示を受け付けると、メニュー選択部４５６は、仮選択されたメニューを選択メニューに決定する。ここでは、メニュー選択部４５６は、液晶パネル２４０に表示される決定キーの押下を、選択決定指示とみなすものとする。
【０２４０】
メニュー選択部４５６は、選択メニューをインターフェース部４４０に向けて出力する。選択メニューを受け付けたインターフェース部４４０は、第１ユニット１００１側のインターフェース部３４０に選択メニューを送信する。第１ユニット１００１側の制御部３５０は、選択メニューに対し所定の処理を行なう。図２０に示した例の場合、制御部３５０は、選択されたサムネイルに対応するコンテンツを電子メールに添付する
以下、図２１から図２３を参照して、電子機器１００の動作例を説明する。
【０２４１】
図２１は、電子機器１００が横方向に並んだメニューを選択する動作を説明する図である。図２１を参照して、電子機器１００のユーザは、同時に、指９００と指９００＃とで左上のサムネイル上の領域および右上のサムネイル上の領域をそれぞれ押さえている。このとき、位置算出部４５４は、２つの指示位置を同時に出力する。したがって、メニュー選択部４５６は、２つの指示位置で指定される矩形領域あるいは線分上のサムネイルを仮選択する。
【０２４２】
メニュー選択部４５６は、仮選択したサムネイルを特定的に表示する。本実施の形態では、メニュー選択部４５６は、図２１に示すように、仮選択したサムネイルを枠で囲んで表示するものとする。ただし、メニュー選択部４５６は、仮選択したサムネイルを他の方法で特定的に表示してもよい。
【０２４３】
メニュー選択部４５６が、サムネイルを仮選択している状態で、位置算出部４５４が、決定ボタン５００内の指示位置を出力すると、メニュー選択部４５６は、仮選択していたサムネイルを選択する。また、メニュー選択部４５６は、選択したメニューをインターフェース部４４０へ出力する。
【０２４４】
選択されたメニューを受け付けたインターフェース部４４０は、第１ユニット１００１側のインターフェース部３４０に選択されたメニューを送る。第１ユニット１００１側の制御部３５０は、選択されたメニューに対し所定の処理（選択されたサムネイルに対応するコンテンツなど）を行なう。
【０２４５】
図２２は、電子機器１００が縦方向に並んだメニューを選択する動作を説明する図である。図２２を参照して、電子機器１００のユーザは、同時に、指９００と指９００＃とで左上のサムネイル上の領域および左下のサムネイル上の領域をそれぞれ押さえている。
【０２４６】
このとき、上で説明したのと同様の処理により、メニュー選択部４５６は、図２２の枠で囲まれた３つのサムネイルを仮選択する。決定ボタン５００が押下されると、メニュー選択部４５６は、仮選択したサムネイルを選択し、出力する。第１ユニット１００１側の制御部３５０は、選択されたメニューに対し所定の処理を行なう。
【０２４７】
図２３は、電子機器１００が縦３行横３列にわたってメニューを選択する動作を説明する図である。図２３を参照して、電子機器１００のユーザは、同時に、指９００と指９００＃とで左上のサムネイル上の領域および右下のサムネイル上の領域をそれぞれ押さえている。
【０２４８】
このとき、上で説明したのと同様の処理により、メニュー選択部４５６は、図２３の枠で囲まれた９つのサムネイルを仮選択する。決定ボタン５００が押下されると、メニュー選択部４５６は、仮選択したサムネイルを選択および出力する。第１ユニット１００１側の制御部３５０は、選択されたメニューに対し所定の処理を行なう。
【０２４９】
（単一メニューの選択）
以上では、メニュー選択部４５６が、複数のメニューを選択する規則および動作例について説明してきた。ここからは、メニュー選択部４５６が、単一のメニューを選択する規則および動作例について説明する。
【０２５０】
本実施の形態に係るメニュー選択部４５６は、１つのメニューに対応する領域へなされた１つの入力（第１の入力）が、他のメニューに対応する領域への入力（第２の入力）がなされるまでに、第１の入力が終了したときに、第１の入力に対応するメニューを仮選択する。このような１つのメニューの仮選択を、単選択とよぶ。以下、図２４を参照して、単選択について説明する。
【０２５１】
図２４（ａ）は、ユーザの指９００が１つのメニューを押下しているときの液晶パネル２４０の表示画面を示す図である。このとき、メニュー選択部４５６は、まだ、メニューを仮選択しない。このあとの液晶パネル２４０の入力によって、メニュー選択部４５６は、単選択あるいは複数のメニューの仮選択のいずれを行なうか決定する。
【０２５２】
図２４（ｂ）は、図２４（ａ）に示す状態のあと、指９００が、液晶パネル２４０から離れたときの液晶パネルの表示画面を示す図である。このとき、メニュー選択部４５６は、押下されていたメニューを抽出する。本実施の形態では、表示制御部４５２は、液晶パネル２４０を制御し、単選択されたメニューをハイライト表示する。メニュー選択部４５６は、決定ボタン５００が押下されると、単選択されたメニューをインターフェース部４４０へ出力する。
【０２５３】
さらに、メニュー選択部４５６は、単選択操作の繰り返しに応じて、単一メニューを連続して選択することができる。単一メニューの連続選択について、図２５を参照して説明する。
【０２５４】
図２５（ａ）は、１つのメニューが抽出されている状態で、ユーザの指９００が他の１つのメニューを押下しているときの液晶パネル２４０の表示画面を示す図である。このとき、メニュー選択部４５６は、まだ、押下されているメニューを抽出しない。
【０２５５】
図２５（ｂ）は、図２５（ａ）に示す状態のあと、指９００が、液晶パネル２４０から離れたときの液晶パネルの表示画面を示す図である。このとき、メニュー選択部４５６は、押下されていたメニューを仮選択する。メニュー選択部４５６は、図２５（ａ）に示すときに仮選択されていたメニューについては、仮選択を続ける。メニュー選択部４５６は、決定ボタン５００が押下されると、図２５（ａ）に示すときに仮選択されているメニューおよび新たに仮選択されたメニューを選択し、選択したメニューをインターフェース部４４０へ出力する。
【０２５６】
なお、複数のメニューの選択の時と同様、メニュー選択部４５６は、決定ボタン５００の押下なしに、メニューをインターフェース部４４０へ出力してもよい。ただし、ユーザが単一メニューの連続選択を行なうには、本実施の形態のように、メニュー選択部４５６は、メニューを仮選択し、決定ボタン５００の押下に応じて、仮選択したメニューの選択および出力を行なうことが好ましい。
【０２５７】
（選択解除）
さらに、メニュー選択部４５６は、仮選択されたメニューへの再度の押下に応じて、メニューの仮選択を解除する。これにより、ユーザは、意図しないメニューを押下した場合に、押下したメニューの仮選択を解除できる。
【０２５８】
図２６を参照して、１つのメニューに対する仮選択の解除について説明する。図２６（ａ）は、指９００が、仮選択されているメニューを押下したときの液晶パネル２４０の表示画面を示す図である。図２６（ｂ）は、図２６（ａ）に示す状態の後、指９００が液晶パネル２４０から離れたときの液晶パネル２４０の表示画面を示す図である。指９００が仮選択されているメニューから離れると、メニュー選択部４５６は、指９００で押されたメニューの仮選択を解除する。さらに、メニュー選択部４５６は、仮選択されていたメニューの表示形態を通常の表示形態に戻す。
【０２５９】
メニュー選択部４５６は、仮選択されている複数のメニューの中から、特定のメニューの仮選択を解除することもできる。このような動作例を図２７を参照して説明する。
【０２６０】
図２７（ａ）は、指９００が、仮選択されている２つのメニューのうち１つのメニューを押下したときの液晶パネル２４０の表示画面を示す図である。図２７（ｂ）は、図２７（ａ）に示す状態の後、指９００が液晶パネル２４０から離れたときの液晶パネル２４０の表示画面を示す図である。指９００が仮選択されているメニューから離れると、メニュー選択部４５６は、指９００で押されたメニューの仮選択を解除する。さらに、メニュー選択部４５６は、仮選択されていたメニューの表示形態を通常の表示形態に戻す。
【０２６１】
このような選択解除によれば、ユーザは、複数のメニューを仮選択した後、その一部のメニューの仮選択を解除することができる。したがって、ユーザは、様々な選び方でメニューを選択することができる。例えば、ユーザは、矩形内のメニューを仮選択し、その中の１つのメニューの仮選択を解除する、といったことができる。
【０２６２】
（複合選択）
本実施の形態では、メニュー選択部４５６は、仮選択処理と、選択決定指示とを用いてメニューの選択を行なう。したがって、メニュー選択部４５６は、複数回の仮選択を行なったあとに、選択決定指示を出すことで、様々な選び方でメニューを選択することができる。このような選択方法を複合選択と呼ぶ。
【０２６３】
図２８を参照して複合選択について説明する。図２８（ａ）は、指９００による押下により、メニュー選択部４５６が１つのメニューを仮選択したときの液晶パネル２４０の表示画面を示す図である。
【０２６４】
図２８（ｂ）は、図２８（ａ）に示す状態の後、指９００が１つのメニューに触れ、指９００＃がもう１つのメニューに触れているときの液晶パネル２４０の表示画面を示す図である。図２８（ｂ）に示す状態では、メニュー選択部４５６は、図２８（ａ）に示す状態で仮選択されていたメニューに加え、指９００の指示位置および指９００＃の指示位置に挟まれるメニューを仮選択する。
【０２６５】
このように、複合選択を用いると、ユーザは、様々なパターンでメニューを選択することができる。
【０２６６】
（処理の流れ）
ここからは、メニュー選択部４５６が行なう処理の流れを図２９を参照して説明する。ここでは、図２０等に示した例に即して、サムネイル画像などのコンテンツの選択処理について説明するものの、この説明は、一般的なメニューの選択処理にもあてはまる。
【０２６７】
ステップＳ１０１において、メニュー選択部４５６は、位置算出部４５４から第１の選択指示を受け付けたかどうか判断する。ここで、「選択指示」とは、メニューの表示領域に対応する指示位置のことをいう。また、ここでは、メニュー選択部４５６が、他の選択指示を受け付けていないときに受け付けた選択指示を、第１の選択指示と呼んでいる。
【０２６８】
第１の選択指示を受け付けていないと判断した場合（ステップＳ１０１においてＮＯ）、メニュー選択部４５６は、ステップＳ１０１の処理を繰り返す。
【０２６９】
第１の選択指示を受け付けたと判断した場合（ステップＳ１０１においてＹＥＳ）、ステップＳ１０３において、メニュー選択部４５６は、第１の選択指示が終了したかどうかを判断する。詳しくは、メニュー選択部４５６は、位置算出部４５４が第１の選択指示の指示位置の出力を中止したときに、第１の選択指示が終了したと判断する。
【０２７０】
第１の選択指示が終了したと判断した場合（ステップＳ１０３においてＹＥＳ）、メニュー選択部４５６は、ステップＳ１０４において、第１の選択指示の指示位置に対応するメニューを仮選択する。
【０２７１】
ステップＳ１０５において、メニュー選択部４５６は、仮選択されたコンテンツをハイライト表示する。ここでの、ハイライト表示とは、コンテンツを枠で囲むなどのコンテンツの特定的な表示のことを指す。そのあと、メニュー選択部４５６は、ステップＳ１０１からの処理を繰り返す。
【０２７２】
ステップＳ１０３において、第１の選択指示が終了していないと判断した場合（ステップＳ１０４においてＮＯ）、メニュー選択部４５６は、ステップＳ１０７において、第２の選択指示を受け付けたかどうか判断する。第２の選択指示とは、第１の選択指示とは異なる選択指示である。
【０２７３】
第２の選択指示を受け付けていないと判断した場合（ステップＳ１０７においてＮＯ）、メニュー選択部４５６は、ステップＳ１０３からの処理を繰り返す。
【０２７４】
第２の選択指示が終了したと判断した場合（ステップＳ１０７においてＹＥＳ）、メニュー選択部４５６は、ステップＳ１０９において、第１の選択指示の指示位置および第２の選択指示の指示位置に基づいて、コンテンツを仮選択する。ステップＳ１０９の処理の詳細については後述する。
【０２７５】
ステップＳ１１１において、メニュー選択部４５６は、ステップＳ１０９にて仮選択されたコンテンツをハイライト表示する。
【０２７６】
ステップＳ１１３において、メニュー選択部４５６は、仮選択のキャンセル指示があったかどうか判断する。本実施の形態では、メニュー選択部４５６は、仮選択されたコンテンツの再押下を仮選択のキャンセル指示とみなす。
【０２７７】
キャンセル指示があった場合（ステップＳ１１３においてＹＥＳ）、メニュー選択部４５６は、キャンセル指示に応じて仮選択を解除し、ステップＳ１０１からの処理を繰り返す。
【０２７８】
キャンセル指示がない場合（ステップＳ１１３においてＮＯ）、ステップＳ１１５において、メニュー選択部４５６は、選択決定指示があったかどうか判断する。本実施の形態では、メニュー選択部４５６は、位置算出部４５４が出力する指示位置が、決定ボタン５００の表示領域内である場合に、選択決定指示があったと判断する。
【０２７９】
なお、キャンセル指示および選択決定指示は、上述のものに限られない。例えば、メニュー選択部４５６は、第１の選択指示および第２の選択指示の終了を、キャンセル指示とみなしてもよい。この場合、ユーザは、液晶パネル２４０上の２つの位置を指示しながら、決定ボタン５００を押下すると、メニューを選択できる。
【０２８０】
あるいは、表示制御部４５２がキャンセルキーを液晶パネル２４０に表示して、メニュー選択部４５６が、キャンセルキーの押下をキャンセル指示とみなしてもよい。この場合、例えば、メニュー選択部４５６は、第１の選択指示および第２の選択指示の終了を、選択決定指示とみなしてもよい。
【０２８１】
決定指示がない場合（ステップＳ１１５においてＮＯ）、メニュー選択部４５６は、ステップＳ１１３からの処理を繰り返す。
【０２８２】
決定指示がある場合（ステップＳ１１５においてＹＥＳ）、ステップＳ１１７において、メニュー選択部４５６は、仮選択されたコンテンツを選択コンテンツに決定し、選択コンテンツを第１のユニット１００１に向けて出力する。具体的には、メニュー選択部４５６は、選択コンテンツをインターフェース部４４０に出力する。インターフェース部４４０は、選択コンテンツを第１ユニット１００２側のインターフェース部３４０に出力する。インターフェース部３４０は、制御部３５０に選択コンテンツを渡す。制御部３５０は、選択コンテンツに対して所定の処理を行なう。
【０２８３】
図２９のステップＳ１０９においてメニュー選択部４５６が行なう処理の詳細について図３０を参照して説明する。
【０２８４】
ステップＳ２０１において、メニュー選択部４５６は、位置算出部４５４から第１の選択指示が指示する座標（第１の指示座標）を取得する。以下、第１の指示座標を（Ｘ１，Ｙ１）とよぶ。
【０２８５】
ステップＳ２０３において、メニュー選択部４５６は、位置算出部４５４から第２の選択指示が指示する座標（第２の指示座標）を取得する。以下、第２の指示座標を（Ｘ２，Ｙ２）とよぶ。
【０２８６】
ステップＳ２０５において、メニュー選択部４５６は、Ｘｍｉｎ＝Ｍｉｎ（Ｘ１，Ｘ２）、Ｘｍａｘ＝Ｍａｘ（Ｘ１，Ｘ２）、Ｙｍｉｎ＝Ｍｉｎ（Ｙ１，Ｙ２）、および、Ｙｍａｘ＝Ｍａｘ（Ｙ１，Ｙ２）を求める。
【０２８７】
ステップＳ２０７において、メニュー選択部４５６は、ｉ＝１のコンテンツ（ｉは、コンテンツを特定する番号）を選択する。以下、ｉ＝ｉのコンテンツに対応する表示画像を第ｉ画像と呼ぶ。
【０２８８】
ステップＳ２０９において、メニュー選択部４５６は、第ｉ画像の表示領域が、Ｘｍｉｎ≦ｘｉ≦Ｘｍａｘを満たす水平座標ｘｉを含むかどうか判断する。
【０２８９】
第ｉ画像の表示領域が、Ｘｍｉｎ≦ｘｉ≦Ｘｍａｘを満たすｘ座標ｘｉを含まない場合（ステップＳ２０９においてＮＯ）、メニュー選択部４５６は、処理をステップＳ２１５に進める。
【０２９０】
第ｉ画像の表示領域が、Ｘｍｉｎ≦ｘｉ≦Ｘｍａｘを満たすｘ座標ｘｉを含む場合（ステップＳ２０９においてＹＥＳ）、メニュー選択部４５６は、ステップＳ２１１において、第ｉ画像の表示領域が、Ｙｍｉｎ≦ｙｉ≦Ｙｍａｘを満たす垂直座標ｙｉを含むかどうか判断する。
【０２９１】
第ｉ画像の表示領域が、Ｙｍｉｎ≦ｙｉ≦Ｙｍａｘを満たす垂直座標ｙｉを含まない場合（ステップＳ２１１においてＮＯ）、メニュー選択部４５６は、処理をステップＳ２１５に進める。
【０２９２】
第ｉ画像の表示領域が、Ｙｍｉｎ≦ｙｉ≦Ｙｍａｘを満たす垂直座標ｙｉを含む場合（ステップＳ２１１においてＹＥＳ）、メニュー選択部４５６は、第ｉ画像に対応するコンテンツを仮選択する。
【０２９３】
ステップＳ２１５において、メニュー選択部４５６は、全てのｉについて、ステップＳ２０９からの処理を行なったかどうか判断する。
【０２９４】
あるｉについてこれらの処理を行なっていない場合（ステップＳ２０９においてＮＯ）、メニュー選択部４５６は、ステップＳ２１７において、ｉをインクリメントし（ｉ＝ｉ＋１）、ステップＳ２０９からの処理を繰り返す。
【０２９５】
すべてのｉについてステップＳ２０９からの処理を行なった場合（ステップＳ２０９においてＹＥＳ）、メニュー選択部４５６は、コンテンツの選択処理を終了する。
【０２９６】
なお、ここでは、ステップＳ２０９およびステップＳ２１１において、第ｉ画像に含まれるいずれかの座標（ｘｉ，ｙｉ）が、Ｘｍｉｎ≦ｘｉ≦ＸｍａｘおよびＹｍｉｎ≦ｙｉ≦Ｙｍａｘを満たすかどうか判断した。しかしながら、判断に用いる座標（ｘｉ，ｙｉ）は、これに限られない。（ｘｉ，ｙｉ）は、第ｉ画像の表示領域と対応がある座標であればよい。例えば、メニュー選択部４５６は、第ｉ画像の中心座標を（ｘｉ，ｙｉ）として、ステップＳ２０９およびステップＳ２１１の判断を行なってもよい。
【０２９７】
［第２の実施の形態］
第２の実施の形態に係る電子機器１００は、第１の実施の形態に係る電子機器１００と同様のハード構成および機能的構成を有する。ただし、メニュー選択部４５６の行なう処理が異なる。
【０２９８】
第２の実施の形態に係るメニュー選択部４５６は、同時に２つの指示位置の入力を受け付けているとき、入力されている２つの指示位置を両端点とする線分上のメニューを選択する。
【０２９９】
さらに、メニュー選択部４５６は、各指示位置の入力の開始タイミングを記憶部４３０に格納する。メニュー選択部４５６は、３つ以上の指示位置の入力を受け付けているとき、各指示位置を、各指示位置に対応する入力の開始タイミングの順に結んだ折れ線上のメニューを選択する。
【０３００】
第２の実施の形態に係るメニュー選択について、図３１を参照して説明する。
図３１（ａ）は、指９００が第１のメニュー（図中（１）を付したメニュー）を押さえたときの液晶パネル２４０の表示画面を示す図である。図３１（ａ）を参照して、メニュー選択部４５６は、押下されているメニューが枠で囲んで表示されるように表示データ４３４を更新する。このようにメニューの表示形態を変えることで、ユーザは、どのメニューが押下されているかを把握しやすくなる。なお、メニュー選択部４５６は、メニューを枠で囲む以外の方法で、押下されているメニューが特定的に表示されるように表示データ４３４を更新してもよい。
【０３０１】
図３１（ｂ）は、指９００が第１のメニューを押さえている間に、指９００＃が第２のメニュー（図中（２）を付したメニュー）を押さえたときの液晶パネル２４０の表示画面を示す図である。図３１（ｂ）を参照して、メニュー選択部４５６は、第１のメニューと第２のメニューを両端とする一列状のメニューが枠で囲んで表示されるように表示データ４３４を更新する。
【０３０２】
図３１（ｃ）は、指９００が第１のメニューを、指９００＃が第２のメニューを押さえている間に、指９００＃＃が第３のメニュー（図中（３）を付したメニュー）を押さえたときの液晶パネル２４０の表示画面を示す図である。図３１（ｃ）を参照して、メニュー選択部４５６は、第１のメニューと第２のメニューを両端とする一列状のメニュー、および、第２のメニューと第３のメニューを両端とする一列状のメニューが枠で囲んで表示されるように表示データ４３４を更新する。
【０３０３】
なお、図３１では、メニュー選択部４５６が、水平方向あるいは垂直方向に並んだメニューを選択する例を示している。しかしながら、本実施の形態に係るメニュー選択部４５６は、指示位置によっては、斜めに並んだメニューを選択してもよい。
【０３０４】
このように本実施の形態に係る電子機器１００によれば、ユーザは、Ｌ字型などのパターン上のメニューを選択できる。特に、本実施の形態に係る電子機器１００は、ユーザは直線上に並んだメニューをまとめて選択することを容易にする。
【０３０５】
さらに、本実施の形態では、メニュー選択部４５６は、仮選択した各メニューに、折れ線の一方の端点から他方の端点にむけて順に番号を付ける。図３１（ｃ）に示す例では、メニュー選択部４５６は、（１）を付したメニュー→…→（２）を付したメニュー→…→（３）を付したメニューという順序で、各メニューに番号を付ける。
【０３０６】
図３１（ｃ）のいずれにおいても、メニュー選択部４５６は、決定ボタン５００が押されると、枠で囲まれているメニューを選択し、選択されたメニューを番号とともに出力する。第１ユニット１００１側の制御部３５０は、インターフェース部４４０およびインターフェース部３４０を経由して、出力されたメニューを受け取る。
【０３０７】
第１ユニット１００１側の制御部３５０は、各メニューを番号に基づいた態様で出力部３２０に出力させる。例えば、制御部３５０に含まれる表示制御部３５２は、番号順に各メニューを表示部３２２に表示させる。
【０３０８】
ユーザは、液晶パネル２４０に表示されているメニューの選択順序により、出力部３２０のメニューの出力態様を決定することができる。したがって、ユーザのメニュー選択の利便性を向上することができる。
【０３０９】
出力部３２０のメニューの出力態様の一例を図３２を参照して説明する。図３２は、ブログ作成に本実施の形態に係るメニュー選択方法を用いる場合を説明するための図である。
【０３１０】
図３２（ａ）は、ブログに挿入するファイルの選択画面を示す図である。液晶パネル２４０は、複数の画像ファイルのサムネイル画像を表示する。ユーザが２つのサムネイル画像を押すと、メニュー選択部４５６は、複数のサムネイル画像をユーザが押した位置に基づいて仮選択する。ここで、メニュー選択部４５６は、入力の開始タイミングに基づいて、最上段左端の画像に番号１を、最上段中央の画像に番号２を、最上段右端の画像に番号３を付ける。
【０３１１】
図３２（ｂ）は、図３２（ａ）で複数のサムネイル画像が仮選択された状態で、決定ボタンが押下されたときの、第１ユニット１００１側の表示部３２２（つまり、液晶パネル１４０）の表示画面を示す図である。ブログ作成アプリケーションは、ブログ内に、番号にしたがって左上から順に、選択されたサムネイル画像を埋め込む。液晶パネル１４０は、作成されたブログを表示する。
【０３１２】
第２の実施の形態に係るメニュー選択部４５６が行なう処理の流れを図３３を参照して説明する。ここでは、コンテンツの選択処理について説明するものの、この説明は、一般的なメニューの選択処理にもあてはまる。
【０３１３】
ステップＳ３０１からステップＳ３０７までの処理は、第１の実施の形態において説明した図２９におけるステップＳ１０１からステップＳ１０７までの処理と同様であり、これらの説明は繰り返さない。これらの処理あるいは判断により、メニュー選択部４５６は、単選択を行なうことができる。
【０３１４】
ステップＳ３０９において、メニュー選択部４５６は、コンテンツを仮選択する。ステップＳ３０９の詳細については、後述する。
【０３１５】
ステップＳ３１１において、メニュー選択部４５６は、ステップＳ１０９にて仮選択されたコンテンツをハイライト表示する。
【０３１６】
ステップＳ３１３において、メニュー選択部４５６は、仮選択のキャンセル指示があったかどうか判断する。例えば、メニュー選択部４５６は、仮選択されたコンテンツの再押下を仮選択のキャンセル指示とみなす。あるいは、メニュー選択部４５６は、第２以降（第２を含む）の選択指示の終了を、その選択指示のキャンセル指示とみなしてもよい。
【０３１７】
キャンセル指示があった場合（ステップＳ３１３においてＹＥＳ）、メニュー選択部４５６は、キャンセル指示に応じて仮選択を解除し、ステップＳ３０１からの処理を繰り返す。
【０３１８】
ステップＳ３１４において、メニュー選択部４５６は、さらに選択指示を受け付けたかどうか判断する。
【０３１９】
さらに選択指示を受け付けた場合（ステップＳ３１４においてＹＥＳ）、メニュー選択部４５６は、ステップＳ３０９からの処理を繰り返す。
【０３２０】
さらなる選択指示受け付けていない場合（ステップＳ３１４においてＮＯ）、ステップＳ３１５において、メニュー選択部４５６は、選択決定指示があったかどうか判断する。本実施の形態では、メニュー選択部４５６は、位置算出部４５４が出力する指示位置が、決定ボタン５００の表示領域内である場合に、選択決定指示があったと判断する。
【０３２１】
ただし、第１の実施の形態と同様、キャンセル指示および選択決定指示は、上述のものに限られるわけではない。
【０３２２】
決定指示がない場合（ステップＳ３１５においてＮＯ）、メニュー選択部４５６は、ステップＳ３１３からの処理を繰り返す。
【０３２３】
決定指示がある場合（ステップＳ３１５においてＹＥＳ）、ステップＳ３１７において、メニュー選択部４５６は、仮選択されたコンテンツを選択コンテンツに決定し、選択コンテンツを第１のユニット１００１に向けて出力する。具体的には、メニュー選択部４５６は、選択コンテンツをインターフェース部４４０に出力する。インターフェース部４４０は、選択コンテンツを第１ユニット１００２側のインターフェース部３４０に出力する。インターフェース部３４０は、制御部３５０に選択コンテンツを渡す。制御部３５０は、選択コンテンツに対して所定の処理を行なう。
【０３２４】
図３３のステップＳ３０９においてメニュー選択部４５６が行なう処理の詳細について図３４を参照して説明する。
【０３２５】
ステップＳ４０１において、メニュー選択部４５６は、最も新しい指示座標（Ｘｎ＋１，Ｙｎ＋１）を取得する。ここで、ｎは、指示座標の順序を表わす１以上の整数である。
【０３２６】
ステップＳ４０３において、メニュー選択部４５６は、（Ｘｎ，Ｙｎ）と（Ｘｎ＋１，Ｙｎ＋１）とを結ぶ線分Ｌｎを求める。
【０３２７】
ステップＳ４０５において、メニュー選択部４５６は、線分Ｌｎ上のコンテンツを（Ｘｎ，Ｙｎ）から（Ｘｎ＋１，Ｙｎ＋１）に向けて順に検索する。具体的には、メニュー選択部４５６は、例えば、コンテンツに対応する表示画像に含まれるいずれかの座標（ｘｉ，ｙｉ）が、線分Ｌｎ上の座標と一致するコンテンツを線分Ｌｎ上のコンテンツとして検索する。
【０３２８】
ステップＳ４０７において、メニュー選択部４５６は、検索順に応じた通し番号をつけた線分Ｌｎ上のコンテンツを、仮選択する。メニュー選択部４５６は、仮選択したコンテンツを、それまでに仮選択したコンテンツとあわせて、新たな仮選択コンテンツとする。
【０３２９】
［第３の実施の形態］
第３の実施の形態に係る電子機器１００は、第１の実施の形態に係る電子機器１００と同様のハード構成および機能的構成を有する。ただし、表示データ４３４の内容およびメニュー選択部４５６の行なう処理が異なる。
【０３３０】
第３の実施の形態では、表示データ４３４は、メニューの表示順についてのデータを含む。メニュー選択部４５６は、同時に２つの指示位置の入力を受け付けているとき、入力されている２つの指示位置にそれぞれ対応するメニューを両端とし、連続する表示順をもつメニューを選択する。
【０３３１】
第３の実施の形態に係るメニュー選択について、図３５を参照して説明する。
図３５（ａ）は、指９００が第１のメニューを押さえたときの液晶パネル２４０の表示画面を示す図である。図３５（ａ）を参照して、メニュー選択部４５６は、押下されているメニューが枠で囲んで表示されるように表示データ４３４を更新する。
【０３３２】
図３５（ａ）には、メニューの表示順の流れを示す矢印も示している。表示順は、矢印の一方端から他方端に向けて、順に増加あるいは減少する。なお、ここでは、表示順が横方向に沿っているとしているが、表示順は、これに限られるわけではない、例えば、表示順は横方向に沿っていてもよい。
【０３３３】
図３５（ｂ）は、指９００が第１のメニューを押さえている間に、指９００＃が第２のメニューを押さえたときの液晶パネル２４０の表示画面を示す図である。図３５（ｂ）を参照して、メニュー選択部４５６は、第１のメニューと第２のメニューを両端とし、表示順が連続するメニューが枠で囲んで表示されるように表示データ４３４を更新する。
【０３３４】
さらに、メニュー選択部４５６は、第１のメニューから第２のメニューにむけて、各コンテンツに、表示順の流れに沿った番号（図中１〜６）を付す。なお、メニュー選択部４５６は、対応する選択指示の開始タイミングが早いメニューからもう一方のメニューに向けて、各コンテンツに番号を付すものとする。例えば、図３５において、指９００による入力開始タイミングと指９００＃による入力開始タイミングは逆である場合、図中の番号１から６は、それぞれ、６から１となる。
【０３３５】
このように指示の開始タイミングを考慮して番号を付すことで、メニュー選択部４５６は、よりユーザの意図に即して、メニューを選択することができる。ユーザが最初に選んだメニューは、ユーザが優先的に選択したかったメニューであることが多いと期待されるからである。
【０３３６】
図３５（ｃ）は、指９００が第１のメニューを、指９００＃が第２のメニューを押さえている間に、指９００＃＃が決定ボタン５００を押したときの、液晶パネル１４０が液晶パネル２４０の表示画面を示す図である。なお、図３５（ａ）（ｂ）では、決定ボタン５００の表示領域を割愛して液晶パネル２４０を描いている。
【０３３７】
メニュー選択部４５６は、仮選択されていたメニューを選択メニューに決定し、選択メニューをインターフェース部４４０に出力する。選択メニューを受け付けたインターフェース部４４０は、第１ユニット１００１側のインターフェース部３４０に選択メニューを送る。
【０３３８】
第１ユニット１００１側の制御部３５０は、選択メニューに対し所定の処理を行なう。ここで、制御部３５０は、各選択メニューに付された番号に応じた処理を行なう。図３５では、制御部３５０が、番号に応じた順で選択メニューを表示部３２２に表示させる例を示している。
【０３３９】
ここからは、メニュー選択部４５６が行なう処理の流れを説明する。ここでは、コンテンツの選択処理について説明するものの、この説明は、一般的なメニューの選択処理にもあてはまる。
【０３４０】
メニュー選択部４５６が行なう処理の大まかな流れは、第１の実施の形態で図２９を用いて説明したものと同様であるので繰り返さない。ただし、メニュー選択部４５６は、図２９におけるステップＳ１０９（コンテンツの選択）で行なう処理が第１の実施の形態と異なる。
【０３４１】
第３の実施の形態に係るメニュー選択部４５６が行なうコンテンツ選択処理の詳細について図３６を参照して説明する。
【０３４２】
ステップＳ５０１において、メニュー選択部４５６は、第１の指示座標（Ｘ１，Ｙ１）を取得する。
【０３４３】
ステップＳ５０３において、メニュー選択部４５６は、第２の指示座標（Ｘ２，Ｙ２）を取得する。
【０３４４】
ステップＳ５０５において、メニュー選択部４５６は、第１の指示座標に対応する第１の選択画像を決定する。具体的には、メニュー選択部４５６は、例えば、第１の指示座標（Ｘ１，Ｙ１）と一致する座標（ｘｉ，ｙｉ）を含む表示画像に対応するコンテンツを選択画像に決定する。
【０３４５】
ステップＳ５０７において、メニュー選択部４５６は、第２の指示座標に対応する第２の選択画像を決定する。具体的には、メニュー選択部４５６は、例えば、第２の指示座標（Ｘ２，Ｙ２）と一致する座標（ｘｉ，ｙｉ）を含む表示画像に対応するコンテンツを選択画像に決定する。
【０３４６】
ステップＳ５０９において、メニュー選択部４５６は、第１の選択画像および第２の選択画像を両端とし、表示順が連続するすべての表示画像を選択画像に決定する。
【０３４７】
ステップＳ５１１において、メニュー選択部４５６は、選択画像に表示順の流れに沿った番号を与える。特に、本実施の形態では、メニュー選択部４５６は、入力開始タイミングの早い第１の選択画像から第２の選択画像に向けて順に各選択画像に番号を与える。
【０３４８】
［第４の実施の形態］
第４の実施の形態に係る電子機器１００は、複数メニューを選択するためのアンカーを設定できる。また、第４の実施の形態に係る電子機器１００は、画面をスクロールできる。以下、これらの動作について詳しく説明する。なお、第４の実施の形態に係る電子機器１００のハード構成および機能的構成（メニュー選択部４５６の機能を除く）は、第１の実施の形態と同様であるので繰り返さない。
【０３４９】
メニュー選択部４５６は、基本的には、第３の実施の形態に係るメニュー選択部４５６と同様に、メニューの選択を行なう。すなわち、２つの異なるメニューへの選択指示が同時にあった場合、指示された２つのメニューを両端とし、表示順が連続するメニューを仮選択する。ただし、本実施の形態に係るメニュー選択部４５６は、以下の点で、第３の実施の形態に係るメニュー選択部４５６と異なる。
【０３５０】
メニュー選択部４５６は、１つのメニューの表示領域内に複数の指示位置が同時に含まれる場合、そのメニューにアンカーを設定する。メニュー選択部４５６は、異なる２つのメニューにアンカーが設定されたとき、アンカーが設定された２つのメニューを両端とし、連続する表示順をもつ複数のメニューを仮選択する。
【０３５１】
アンカーを用いたメニューの選択について、図３７を参照して説明する。図３７（ａ）は、指９００および指９００＃が液晶パネル２４０に表示されている１つのメニューに触れた状態を示す図である。この操作に応じて、メニュー選択部４５６は、メニューにアンカーを設定する。
【０３５２】
図３７（ｂ）は、メニュー選択部４５６がメニューにアンカーを設定したあとの液晶パネル２４０の表示画面を示す図である。メニュー選択部４５６は、アンカーを設定されたメニューが特定的に表示されるように表示データ４３４を更新する。ここでは、アンカーを設定されたメニューは、点線で囲まれ、メニュー上には矢印が描かれる。メニュー選択部４５６は、アンカーが設定されたメニューから指９００および指９００＃が離れても、メニューへのアンカー設定を解除しない。
【０３５３】
図３７（ｃ）は、指９００および指９００＃が液晶パネル２４０に表示されているアンカーが設定されていない１つのメニューに触れた状態を示す図である。この操作に応じて、メニュー選択部４５６は、アンカーが設定された２つのメニューを両端とし、連続する表示順をもつ複数のメニューを仮選択する。メニュー選択部４５６が仮選択するメニューを図３７（ｄ）に示す。この場合、メニュー選択部４５６は、液晶パネル２４０に表示されているすべてのメニューを仮選択する。なお、メニュー選択部４５６は、第３の実施の形態と同様に、仮選択されたメニューに表示順に応じた番号を付してもよい。
【０３５４】
また、メニュー選択部４５６は、指示位置の連続的な移動、いわゆるドラッグ操作があると表示画面をスクロールする。すなわち、メニュー選択部４５６は、位置算出部４５４から時間的に連続して指示位置の入力を受けた場合に、入力された指示位置の変位に基づいた移動量だけ表示画面をスクロールする。
【０３５５】
スクロールについて図３８を参照して説明する。図３８（ａ）は、指９００が１つのメニュー（図中では枠囲みで示す）を押しているときの液晶パネル２４０の表示画面を説明するための図である。指９００は、液晶パネル２４０内の図３８における下の方のメニューを押している。
【０３５６】
図３８（ｂ）は、ユーザが指９００を図３８（ａ）の位置から図３８（ａ）内の点線で示す位置まで液晶パネル２４０上で滑らせたときの、液晶パネル２４０の表示画面を説明するための図である。指９００が上に移動したことに応じて、メニュー選択部４５６は、表示画面を、下にスクロールさせる。すなわち、メニュー選択部４５６は、液晶パネル２４０が、図３８（ａ）で表示されているメニューより下にあるメニューを表示するように、表示データ４３４を更新する。ユーザにとっては、指９００で押さえているメニューが指９００の移動にともなって引き上げられたように感じる。
【０３５７】
同様に、指９００が下に移動すると、メニュー選択部４５６は、表示画面を、上にスクロールさせる。また、メニュー選択部４５６は、左右方向のスクロールを行なってもよい。
【０３５８】
本実施の形態に係る電子機器１００によれば、メニューが液晶パネル２４０に入りきらない場合であっても、ユーザは、スクロールを行なうことで、適切なメニューを選択することができる。
【０３５９】
さらに、メニュー選択部４５６は、アンカー設定とスクロールとを組み合わせて実行できる。このようなメニューの選択動作の一例を図３９〜図４１を参照して説明する。
【０３６０】
図３９（ａ）は、ユーザが指９００を液晶パネル２４０の表示画面の下から上へドラッグする様子を示す図である。図３９（ｂ）は、図３９（ａ）におけるドラッグ後の表示画面を示す図である。表示画面は下にスクロールする。図３９（ｃ）は、ユーザがスクロール後の表示画面内の１つのメニューを指９００で押す様子を示す図である。図３９（ｄ）は、ユーザが指９００をメニューから離したときの表示画面を示す図である。メニュー選択部４５６は、１つのメニューを単選択する。
【０３６１】
図４０（ａ）は、図３９（ｄ）に示す状態において、ユーザが指９００を液晶パネル２４０の表示画面の上から下へドラッグする様子を示す図である。図４０（ｂ）は、図４０（ａ）におけるドラッグ後の表示画面を示す図である。表示画面は上にスクロールする。図４０（ｃ）は、ユーザがスクロール後の表示画面内の１つのメニューを指９００および指９００＃で押す様子を示す図である。図４０（ｄ）は、ユーザが指９００および指９００＃でメニューを押した後の表示画面を示す図である。メニュー選択部４５６は、指９００および指９００＃で押されたメニューにアンカーを設定する。
【０３６２】
図４１（ａ）は、図４０（ｄ）に示す状態において、ユーザが指９００を液晶パネル２４０の表示画面の下から上へドラッグする様子を示す図である。図４１（ｂ）は、図４１（ａ）におけるドラッグ後の表示画面を示す図である。表示画面は下にスクロールする。図４１（ｃ）は、ユーザがスクロール後の表示画面内の１つのメニュー（アンカーは設定されていない）を指９００および指９００＃で押す様子を示す図である。図４１（ｄ）は、ユーザが指９００および指９００＃でメニューを押した後の表示画面を示す図である。メニュー選択部４５６は、アンカーが設定されたメニューで挟まれたメニューを仮選択する。
【０３６３】
このようなアンカー設定とスクロールの組み合わせにより、ユーザは、液晶パネル２４０の一画面に納まらない範囲のメニューを同時に選択することができる。
【０３６４】
ここからは、メニュー選択部４５６が行なう処理の流れを図４２を参照して説明する。ここでは、サムネイル画像などのコンテンツの選択処理について説明するものの、この説明は、一般的なメニューの選択処理にもあてはまる。
【０３６５】
ステップＳ６０１において、メニュー選択部４５６は、位置算出部４５４から第１の選択指示（簡単のため、図では第１の入力としている）を受け付けたかどうか判断する。
【０３６６】
第１の選択指示を受け付けていないと判断した場合（ステップＳ６０１においてＮＯ）、メニュー選択部４５６は、ステップＳ６０１の処理を繰り返す。
【０３６７】
第１の選択指示を受け付けたと判断した場合（ステップＳ６０１においてＹＥＳ）、ステップＳ６０３において、メニュー選択部４５６は、第１の選択指示に対応するコンテンツをハイライト表示する。
【０３６８】
ステップＳ６０５において、メニュー選択部４５６は、ドラッグ操作があるかどうか判断する。メニュー選択部４５６は、位置算出部４５４が出力する指示位置が時間的に連続し、かつ、指示位置が移動する場合、ドラッグ操作があると判断する。
【０３６９】
ドラッグ操作があると判断した場合（ステップＳ６０５においてＹＥＳ）、メニュー選択部４５６は、ステップＳ６０７において、表示画面を指示位置の変異に基づく移動量だけスクロールする。
【０３７０】
ドラッグ操作がないと判断した場合（ステップＳ６０５においてＮＯ）、メニュー選択部４５６は、ステップＳ６０９において、第２の選択指示（図では第２の入力）があったかどうか判断する。
【０３７１】
第２の選択指示がないと判断した場合（ステップＳ６０９においてＮＯ）、メニュー選択部４５６は、ステップＳ６１１において、第１の選択指示が終了したかどうか判断する。
【０３７２】
第１の選択指示が終了していないと判断した場合（ステップＳ６１１においてＮＯ）、メニュー選択部４５６は、ステップＳ６０５からの処理を繰り返す。
【０３７３】
第１の選択指示が終了したと判断した場合（ステップＳ６１１においてＹＥＳ）、メニュー選択部４５６は、ステップＳ６１３において、第１の選択指示に対応するコンテンツを仮選択する。そのあと、メニュー選択部４５６は、ステップＳ６１５以降の処理に進む。ステップＳ６１５以降の処理については後述する。
【０３７４】
一方、第２の選択指示入力があると判断した場合（ステップＳ６０９においてＹＥＳ）、メニュー選択部４５６は、ステップＳ６２３において、１つのコンテンツに対応する表示領域（１エリア）が２点タッチされたかを判断する。すなわち、メニュー選択部４５６は、第１の選択指示および第２の選択指示の指示位置が共通の１エリアに含まれるかどうか判断する。
【０３７５】
１エリアが２点タッチされていないと判断した場合（ステップＳ６２３においてＮＯ）、メニュー選択部４５６は、ステップＳ６２５において、コンテンツを仮選択する。ステップＳ６２５において、メニュー選択部４５６は、第３の実施の形態において図３６を用いて説明したのと同様の処理を行なう。そのあと、メニュー選択部４５６は、ステップＳ６１５以降の処理に進む。ステップＳ６１５以降の処理については後述する。
【０３７６】
一方、１エリアが２点タッチされたと判断した場合（ステップＳ６２３においてＹＥＳ）、メニュー選択部４５６は、ステップＳ６２７において、２点タッチされたエリアに対応するコンテンツ以外のコンテンツにアンカー設定があるかどうか判断する。
【０３７７】
他のコンテンツにアンカー設定がない場合（ステップＳ６２７においてＮＯ）、メニュー選択部４５６は、ステップＳ６２９において、２点タッチされたエリアに対応するコンテンツにアンカーを設定する。以降、メニュー選択部４５６は、ステップＳ６０１からの処理を繰り返す。
【０３７８】
他のコンテンツにアンカー設定がある場合（ステップＳ６２７においてＹＥＳ）、メニュー選択部４５６は、ステップＳ６３１において、アンカーがすでに設定されているコンテンツと、２点タッチされたエリアに対応するコンテンツとに挟まれるコンテンツを仮選択する。そのあと、メニュー選択部４５６は、ステップＳ６１５以降の処理に進む。
【０３７９】
ステップＳ６１５において、メニュー選択部４５６は、仮選択されたコンテンツをハイライト表示する。
【０３８０】
ステップＳ６１７において、メニュー選択部４５６は、仮選択のキャンセル指示があったかどうか判断する。例えば、メニュー選択部４５６は、仮選択されたコンテンツの再押下を仮選択のキャンセル指示とみなす。
【０３８１】
キャンセル指示があった場合（ステップＳ６１７においてＹＥＳ）、メニュー選択部４５６は、キャンセル指示に応じて仮選択を解除し、ステップＳ６０１からの処理を繰り返す。
【０３８２】
キャンセル指示がない場合（ステップＳ６１７においてＮＯ）、ステップＳ６１９において、メニュー選択部４５６は、選択決定指示があったかどうか判断する。例えば、メニュー選択部４５６は、位置算出部４５４が出力する指示位置が、決定ボタン５００の表示領域内である場合に、選択決定指示があったと判断する。
【０３８３】
決定指示がない場合（ステップＳ６１９においてＮＯ）、メニュー選択部４５６は、ステップＳ６１７からの処理を繰り返す。
【０３８４】
決定指示がある場合（ステップＳ６１９においてＹＥＳ）、ステップＳ６２１において、メニュー選択部４５６は、仮選択されたコンテンツを選択コンテンツに決定し、選択コンテンツを第１のユニット１００１に向けて出力する。具体的には、メニュー選択部４５６は、選択コンテンツをインターフェース部４４０に出力する。インターフェース部４４０は、選択コンテンツを第１ユニット１００２側のインターフェース部３４０に出力する。インターフェース部３４０は、制御部３５０に選択コンテンツを渡す。制御部３５０は、選択コンテンツに対して所定の処理を行なう。ここで、制御部３５０は、選択コンテンツに付された表示順に対応する番号に応じて、選択コンテンツに対する処理を行なってもよい。
【０３８５】
［第５の実施の形態］
第３の実施の形態および第４の実施の形態では、表示画面内でのメニュー選択を決める決定順序は固定されているものとして説明を進めてきた。これに対し、第５の実施の形態に係る電子機器１００は、この決定順序を切り替えることができる。
【０３８６】
第５の実施の形態に係る電子機器１００のハード構成および機能的構成（メニュー選択部４５６を除く）は、他の実施の形態と同様であるので、繰り返さない。
【０３８７】
図４３を参照して、決定順序の切り替えについて説明する。図４３を参照して、メニュー選択部４５６は、液晶パネル２４０に、切り替えボタン６００を表示する。切り替えボタン６００には、現在の決定順序が示されている。
【０３８８】
図４３（ａ）は、決定順序が「横選択」である場合の、決定順序について説明するための図である。このとき、決定順序は、図３５（ａ）に示したものと同様である。
【０３８９】
図４３（ｂ）は、決定順序が「縦選択」である場合の、決定順序について説明するための図である。縦選択時には、メニュー選択部４５６は、図４３（ｂ）の矢印にそって、選択メニューに番号を付す。
【０３９０】
図４３（ａ）に示す状態で（横選択時に）、指９００が切り替えボタン６００を押すと、決定順序は、縦選択に切り替わる。図４３（ｂ）に示す状態で（縦選択時に）、指９００が切り替えボタン６００を押すと、決定順序は、横選択に切り替わる。
【０３９１】
本実施の形態に係る電子機器１００によれば、決定順序の切り替えにより、様々なパターンでメニューを選択することができる。このことについて図４４および図４５を参照して説明する。
【０３９２】
図４４（ａ）は、ユーザが指９００で液晶パネル２４０内の１つのメニューを押さえた状態を示す図である。
【０３９３】
図４４（ｂ）は、ユーザが指９００＃で液晶パネル２４０内の図４４（ａ）で押されたメニュー以外のメニューを押さえた状態を示す図である。同時に２つのメニューが押さえられているので、メニュー選択部４５６は、押されたメニューを両端とするメニューを仮選択する。このとき、決定順序は横選択であるので、図４４（ｂ）の斜線で示すメニューが仮選択される。
【０３９４】
図４４（ｃ）は、図４４（ｂ）の仮選択のあと、ユーザが指で切り替えボタン６００を押している様子を示す図である。この操作により、メニュー選択部４５６は、決定順序を縦選択に切り替える。図４４（ｄ）は、決定順序の切り替え後の表示画面を示す図である。
【０３９５】
図４５（ａ）は、図４４（ｄ）に示す状態で、ユーザが指９００で液晶パネル２４０内の仮選択されていない１つのメニューを押さえた状態を示す図である。
【０３９６】
図４４（ｂ）は、ユーザが指９００＃で液晶パネル２４０内の仮選択されておらず、かつ、図４５（ａ）で押されなかったメニューを押さえた状態を示す図である。同時に２つのメニューが押さえられているので、メニュー選択部４５６は、押されたメニューを両端とするメニューを仮選択する。このとき、決定順序は縦選択であるので、図４５（ｂ）の斜線で示すメニューが仮選択される。
【０３９７】
図４５（ｃ）は、図４５（ｂ）の仮選択後に、ユーザが指９００で、決定ボタン５００を押す状態を示している。この操作に応じて、メニュー選択部４５６は、仮選択されたメニューを選択メニューに決定し、選択メニューを出力する。
【０３９８】
さらに、第４の実施の形態で説明したようなアンカー設定およびスクロールと組み合わせることで、ユーザは、より多様なパターンでメニューを選択することができる。例えば、縦方向にメニューが表示しきれない場合、ユーザは、決定順序を縦選択に設定した上で、アンカーおよびスクロールを用いることで、縦長の領域内のメニューを選択することができる。
【０３９９】
［その他］
上記の各実施の形態を適宜組み合わせたものも、本発明の一態様としてみなすことができる。
【０４００】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０４０１】
【図１】本実施の形態に係る電子機器の外観を示す概略図である。
【図２】電子機器のハードウェア構成を表わすブロック図である。
【図３】液晶パネルの構成と当該液晶パネルの周辺回路とを示した図である。
【図４】液晶パネルとバックライトとの断面図である。
【図５】光センサ回路を動作させる際のタイミングチャートを示した図である。
【図６】スキャンの際にフォトダイオードがバックライトからの光を受光する構成を示した断面図である。
【図７】コマンドの概略構成を示した図である。
【図８】種別「０００」のコマンドを説明するための図である。
【図９】種別「００１」のコマンドを説明するための図である。
【図１０】種別「０１０」のコマンドを説明するための図である。
【図１１】種別「０１１」のコマンドを説明するための図である。
【図１２】種別「１００」のコマンドを説明するための図である。
【図１３】種別「１０１」のコマンドを説明するための図である。
【図１４】応答データの概略構成を示した図である。
【図１５】指をスキャンすることにより得られた画像（スキャン画像）を示した図である。
【図１６】光センサ内蔵液晶パネル１４０Ａの回路図である。
【図１７】スキャンの際にフォトダイオードが外光を受光する構成を示した断面図である。
【図１８】電子機器の変形例のハードウェア構成を表すブロック図である。
【図１９】本実施の形態に係る電子機器１００の機能的構成をブロック図形式で示す図である。
【図２０】第１の実施の形態に係る電子機器１００の動作の概要を説明する図である。
【図２１】電子機器１００が横方向に並んだメニューを選択する動作を説明する図である。
【図２２】電子機器１００が縦方向に並んだメニューを選択する動作を説明する図である。
【図２３】電子機器１００が縦３行横３列にわたるメニューを選択する動作を説明する図である。
【図２４】単選択について説明するための図である。
【図２５】単一メニューの連続選択について説明するための図である。
【図２６】１つのメニューに対する仮選択の解除について説明するための図である。
【図２７】複数のメニューのうちの特定のメニューの仮選択の解除について説明するための図である。
【図２８】複合選択について説明するための図である。
【図２９】第１の実施の形態に係るメニュー選択部４５６が行なう処理の流れをフローチャート形式で示す図である。
【図３０】第１の実施の形態に係るメニュー選択部４５６が行なうコンテンツ選択処理の流れをフローチャート形式で示す図である。
【図３１】第２の実施の形態に係るメニュー選択について説明するための図である。
【図３２】ブログ作成に第２の実施の形態に係るメニュー選択方法を用いる場合を説明するための図である。
【図３３】第２の実施の形態に係るメニュー選択部４５６が行なう処理の流れをフローチャート形式で示す図である。
【図３４】第２の実施の形態に係るメニュー選択部４５６が行なうコンテンツ選択処理の流れをフローチャート形式で示す図である。
【図３５】第３の実施の形態に係るメニュー選択について説明するための図である。
【図３６】第３の実施の形態に係るメニュー選択部４５６が行なうコンテンツ選択処理の流れをフローチャート形式で示す図である。
【図３７】アンカー設定について説明するための図である。
【図３８】スクロールについて説明するための図である。
【図３９】アンカー設定とスクロールとを組み合わせたメニュー選択について説明するための第１の図である。
【図４０】アンカー設定とスクロールとを組み合わせたメニュー選択について説明するための第２の図である。
【図４１】アンカー設定とスクロールとを組み合わせたメニュー選択について説明するための第３の図である。
【図４２】第４の実施の形態に係るメニュー選択部４５６が行なうコンテンツ選択処理の流れをフローチャート形式で示す図である。
【図４３】決定順序の切り替えについて説明するための図である。
【図４４】決定順序の切り替えを利用したメニュー選択について説明するための第１の図である。
【図４５】決定順序の切り替えを利用したメニュー選択について説明するための第２の図である。
【符号の説明】
【０４０２】
１００  電子機器、１００Ａ  筐体、１００Ｂ  筐体、１００Ｃ  ヒンジ、１０１  本体装置、１０２  表示装置、１０２Ａ  表示装置、１０３  表示装置、１０４  本体装置、１３０  ドライバ、１３１  走査信号線駆動回路、１３２  データ信号線駆動回路、１３３  光センサ駆動回路、１３４  スイッチ、１３５  アンプ、１４０  光センサ内蔵液晶パネル、１４０Ａ  光センサ内蔵液晶パネル、１４１  画素回路、１４１ｂ  サブピクセル回路、１４１ｇ  サブピクセル回路、１４１ｒ  サブピクセル回路、１４３  電極対、１４３ａ  画素電極、１４３ｂ  対向電極、１４４  光センサ回路、１４５  フォトダイオード、１４５ｂ  フォトダイオード、１４５ｇ  フォトダイオード、１４５ｒ  フォトダイオード、１４６  コンデンサ、１５１Ａ  アクティブマトリクス基板、１５１Ｂ  対向基板、１５２  液晶層、１５３ｂ  カラーフィルタ、１５３ｇ  カラーフィルタ、１５３ｒ  カラーフィルタ、１５７  データ信号線、１６１  偏光フィルタ、１６２  ガラス基板、１６３  遮光膜、１６４  配向膜、１７３  メモリカードリーダライタ、１７４  外部通信部、１７５  マイク、１７６  スピーカ、１７７  操作キー、１７９  バックライト、１８０  画像処理エンジン、１８１  ドライバ制御部、１８２  タイマ、１８３  信号処理部、１９１  電源スイッチ、１９２  電源回路、１９３  電源検出部、１９４  コネクタ、１９５  アンテナ、１９６  コネクタ、２３０  ドライバ、２４０  光センサ内蔵液晶パネル、２７４  外部通信部、２７９  バックライト、２８０  画像処理エンジン、２８１  ドライバ制御部、２８２  タイマ、２８３  信号処理部、２９３  電源検出部、２９４  コネクタ、２９５  アンテナ、２９７  信号強度検出部、３１０  入力部、３２０  出力部、３２２  表示部、３３０  記憶部、３３２  メニュー、３４０  インターフェース部、３５０  制御部、３５２  表示制御部、４１０  表示・入力部、４３０  記憶部、４３２  メニュー、４３４  表示データ、４４０  インターフェース部、４５０  制御部、４５２  表示制御部、４５４  位置算出部、４５６  メニュー選択部、５００  決定ボタン、６００  切り替えボタン、９００  指、１００１  第１ユニット、１００２  第２ユニット。
【図１】
2010108277.tif 000003
【図２】
2010108277.tif 000004
【図３】
2010108277.tif 000005
【図４】
2010108277.tif 000006
【図５】
2010108277.tif 000007
【図６】
2010108277.tif 000008
【図７】
2010108277.tif 000009
【図８】
2010108277.tif 000010
【図９】
2010108277.tif 000011
【図１０】
2010108277.tif 000012
【図１１】
2010108277.tif 000013
【図１２】
2010108277.tif 000014
【図１３】
2010108277.tif 000015
【図１４】
2010108277.tif 000016
【図１５】
2010108277.tif 000017
【図１６】
2010108277.tif 000018
【図１７】
2010108277.tif 000019
【図１８】
2010108277.tif 000020
【図１９】
2010108277.tif 000021
【図２０】
2010108277.tif 000022
【図２１】
2010108277.tif 000023
【図２２】
2010108277.tif 000024
【図２３】
2010108277.tif 000025
【図２４】
2010108277.tif 000026
【図２５】
2010108277.tif 000027
【図２６】
2010108277.tif 000028
【図２７】
2010108277.tif 000029
【図２８】
2010108277.tif 000030
【図２９】
2010108277.tif 000031
【図３０】
2010108277.tif 000032
【図３１】
2010108277.tif 000033
【図３２】
2010108277.tif 000034
【図３３】
2010108277.tif 000035
【図３４】
2010108277.tif 000036
【図３５】
2010108277.tif 000037
【図３６】
2010108277.tif 000038
【図３７】
2010108277.tif 000039
【図３８】
2010108277.tif 000040
【図３９】
2010108277.tif 000041
【図４０】
2010108277.tif 000042
【図４１】
2010108277.tif 000043
【図４２】
2010108277.tif 000044
【図４３】
2010108277.tif 000045
【図４４】
2010108277.tif 000046
【図４５】
2010108277.tif 000047